(57)【要約】クライアント端末２から、トップページのソースを要求するための第１要求信号やＡ社・ＣＤ販売ページのソースを要求する第２要求信号が送出された場合であっても、ポータルサーバ４がお知らせページのソースを記憶保持していれば、ポータルサーバ４又はコンテンツ販売サーバ５からトップページのソース又はＡ社・ＣＤ販売ページのソースが送出される前に、ポータルサーバ４から当該お知らせページのソースがクライアント端末２へ送出される。
2005015411.tif 000002
【特許請求の範囲】
【請求項１】
第１のページデータを要求する第１の要求信号を送信する第１のステップと、
第２のページデータを要求する第２の要求信号を送信する第２のステップと、
上記第１の要求信号に応じて所定の通知情報が示されてなる通知ページデータを受信した後に、上記第１のページデータを受信する第３のステップと、
上記第２の要求信号に応じて上記通知ページデータを受信した後に、上記第２のページデータを受信する第４のステップと
を具えることを特徴とするページデータ受信方法。
【請求項２】
上記第２のステップにおいて送信した上記第２の要求信号が、上記第２のページデータを提供する第２のページデータ提供装置によって拒絶されたとき、上記第２のページデータ提供装置に上記第２の要求信号を受け付けさせるために必要な受付必要情報を、上記第１のページデータを提供する第１のページデータ提供装置に対して要求する第５のステップと、
上記要求に応じて上記第１のページデータ提供装置から送信される上記受付必要情報と上記通知ページデータのアドレス情報とを受信する第６のステップと
を有し、
上記第４のステップでは、
上記受信した上記通知ページデータのアドレス情報に基づいて上記第１のページデータ提供装置にアクセスすることにより上記通知ページデータを受信し、
上記受信した通知ページデータに基づいて上記通知情報が示されてなる通知ページを表示部に表示し、
上記表示部に表示した上記通知ページに対する操作に応じて、上記第２の要求信号を上記受付必要情報と共に再送信することにより、上記第２のページデータ提供装置から上記第２のページデータを受信する
ことを特徴とする請求の範囲第１項に記載のページデータ受信方法。
【請求項３】
上記通知ページデータのアドレス情報に基づいて上記第１のページデータ提供装置にアクセスするとき、当該第１のページデータ提供装置に対して上記第２のページデータに対応するアドレス情報を送信しておくことにより、上記第１のページデータ提供装置から上記第２のページデータに対応するアドレス情報を含む上記通知ページデータを受信する
ことを特徴とする請求の範囲第２項に記載のページデータ受信方法。
【請求項４】
上記通知ページデータのアドレス情報に基づいて上記第１のページデータ提供装置にアクセスするとき、当該第１のページデータ提供装置に対して上記第２のページデータを識別するためのサービス識別情報を送信しておくことにより、上記第１のページデータ提供装置から上記サービス識別情報に対応する付加情報を含む上記通知ページデータを受信する
ことを特徴とする請求の範囲第２項に記載のページデータ受信方法。
【請求項５】
上記通知ページデータには、上記第２のページデータに対応するサービスの状況も示される
ことを特徴とする請求の範囲第１項に記載のページデータ受信方法。
【請求項６】
上記第１のページデータには、上記第２のページデータへのリンク情報も含まれる
ことを特徴とする請求の範囲第１項に記載のページデータ受信方法。
【請求項７】
上記第２のステップにおいて送信した上記第２の要求信号が、上記第２のページデータを提供する第２のページデータ提供装置によって拒絶されたとき、上記第２のページデータ提供装置に上記第２の要求信号を受け付けさせるために必要な受付必要情報を、上記第１のページデータを提供する第１のページデータ提供装置に対して要求する第５のステップと、
上記要求が上記第１のページデータ提供装置により拒絶されたとき、当該第１のページデータ提供装置に対してユーザ識別情報とパスワードを送信する第６のステップと、
上記第１のページデータ提供装置が上記ユーザ識別情報とパスワードを認証し、当該第１のページデータ提供装置から送信される認証セッションＩＤと、上記通知ページデータのアドレス情報とを受信する第７のステップとを有し、
上記第４のステップでは、
上記受信した上記通知ページデータのアドレス情報に基づいて、上記認証セッションＩＤを付加して上記第１のページデータ提供装置にアクセスすることにより上記通知ページデータを受信し、
上記受信した通知ページデータに基づいて上記通知情報が示されてなる通知ページを表示部に表示し、
上記受付必要情報を要求する信号を再び上記第１のページデータ提供装置に対して送信し、
上記要求に応じて上記第１のページデータ提供装置により送信された上記受付必要情報を受信し、
上記第２の要求信号を上記受付必要情報と共に再送信することにより、上記第２のページデータ提供装置から上記第２のページデータを受信する
ことを特徴とする請求の範囲第１項に記載のページデータ受信方法。
【請求項８】
上記通知ページデータのアドレス情報に基づいて上記第１のページデータ提供装置にアクセスするとき、当該第１のページデータ提供装置に対して上記第２のページデータに対応するアドレス情報を送信しておくことにより、上記第１のページデータ提供装置から上記第２のページデータに対応するアドレス情報を含む上記通知ページデータを受信する
ことを特徴とする請求の範囲第７項に記載のページデータ受信方法。
【請求項９】
上記通知ページデータのアドレス情報に基づいて上記第１のページデータ提供装置にアクセスするとき、当該第１のページデータ提供装置に対して上記第２のページデータを識別するためのサービス識別情報を送信しておくことにより、上記第１のページデータ提供装置から上記サービス識別情報に対応する付加情報を含む上記通知ページデータを受信する
ことを特徴とする請求の範囲第７項に記載のページデータ受信方法。
【請求項１０】
上記通知ページデータには、上記第２のページデータに対応するサービスの状況も示される
ことを特徴とする請求の範囲第７項に記載のページデータ受信方法。
【請求項１１】
上記第１のページデータには、上記第２のページデータへのリンク情報も含まれる
ことを特徴とする請求の範囲第７項に記載のページデータ受信方法。
【請求項１２】
所定の通知情報が示されてなる通知ページデータと第１のページデータとを有するページデータ提供装置のページデータ提供方法において、
上記第１のページデータを要求する第１の要求信号を端末装置から受信したとき、上記第１のページデータを送信する前に、上記通知ページデータを上記端末装置に対して送信する第１のステップと、
上記端末装置が第２のページデータを要求する第２の要求信号を上記第２のページデータを提供する他のページデータ提供装置に対して送信したとき、上記第２の要求信号に応じて上記他のページデータ提供装置から上記第２のページデータが送信される前に、上記通知ページデータを上記端末装置に対して送信する第２のステップと
を具えることを特徴とするページデータ提供方法。
【請求項１３】
上記第２のステップでは、
上記端末装置からの上記第２の要求信号が上記他のページデータ提供装置によって拒絶された後、当該他のページデータ提供装置に上記第２の要求信号を受け付けさせるために必要な受付必要情報が上記端末装置から要求されると、上記受付必要情報と上記通知ページデータのアドレス情報とを上記端末装置に対して送信し、
上記受付必要情報及び上記通知ページデータのアドレス情報を受信した上記端末装置から当該アドレス情報に基づいてアクセスされたとき、上記通知ページデータを上記端末装置に対して送信することにより、上記通知ページデータに基づく通知ページを上記端末装置の表示部に表示させる
ことを特徴とする請求の範囲第１２項に記載のページデータ提供方法。
【請求項１４】
上記端末装置から上記通知ページデータのアドレス情報に基づいてアクセスされたとき、上記端末装置から上記第２のページデータに対応するアドレス情報を受信すると、当該第２のページデータに対応するアドレス情報を含ませた上記通知ページデータを上記端末装置に対して送信する
ことを特徴とする請求の範囲第１３項に記載のページデータ提供方法。
【請求項１５】
上記端末装置から上記通知ページデータのアドレス情報に基づいてアクセスされたとき、上記端末装置から上記第２のページデータを識別するためのサービス識別情報を受信すると、当該サービス識別情報に対応する付加情報を含ませた上記通知ページデータを上記端末装置に対して送信する
ことを特徴とする請求の範囲第１３項に記載のページデータ提供方法。
【請求項１６】
上記通知ページデータには、上記第２のページデータに対応するサービスの状況も示される
ことを特徴とする請求の範囲第１２項に記載のページデータ提供方法。
【請求項１７】
上記第１のページデータには、上記第２のページデータへのリンク情報も含まれる
ことを特徴とする請求の範囲第１２項に記載のページデータ提供方法。
【請求項１８】
上記第２のステップでは、
上記端末装置からの上記第２の要求信号が上記他のページデータ提供装置によって拒絶された後、当該他のページデータ提供装置に上記第２の要求信号を受け付けさせるために必要な受付必要情報を要求する信号を、認証セッションＩＤと共に受信し、
上記認証セッションＩＤが有効期限を越えているとき、認証エラーを示す認証応答を上記端末装置に送信し、
上記端末装置から、ユーザ識別情報とパスワードを受信し、
上記ユーザ識別情報とパスワードに基づき認証処理を行い、認証セッションＩＤを発行し、上記通知ページデータがあれば当該通知ページデータのアドレス情報と共に上記端末装置に対して送信し、
上記認証セッションＩＤが付加された上記通知ページデータのアドレスに対するアクセスに応じて、上記認証セッションＩＤにより認証処理し、認証許可されたとき当該通知ページデータを上記端末装置に対して送信する
ことを特徴とする請求の範囲第１２項に記載のページデータ提供方法。
【請求項１９】
上記端末装置から上記通知ページデータのアドレス情報に基づいてアクセスされたとき、上記端末装置から上記第２のページデータに対応するアドレス情報を受信すると、当該第２のページデータに対応するアドレス情報を含ませた上記通知ページデータを上記端末装置に対して送信する
ことを特徴とする請求の範囲第１８項に記載のページデータ提供方法。
【請求項２０】
上記端末装置から上記通知ページデータのアドレス情報に基づいてアクセスされたとき、上記端末装置から上記第２のページデータを識別するためのサービス識別情報を受信すると、当該サービス識別情報に対応する付加情報を含ませた上記通知ページデータを上記端末装置に対して送信する
ことを特徴とする請求の範囲第１８項に記載のページデータ提供方法。
【請求項２１】
上記通知ページデータには、上記第２のページデータに対応するサービスの状況も示される
ことを特徴とする請求の範囲第１８項に記載のページデータ提供方法。
【請求項２２】
上記第１のページデータには、上記第２のページデータへのリンク情報も含まれる
ことを特徴とする請求の範囲第１８項に記載のページデータ提供方法。
【請求項２３】
第１のページデータを要求する第１の要求信号と、第２のページデータを要求する第２の要求信号とを送信する送信手段と、
上記第１の要求信号に応じて所定の通知情報が示されてなる通知ページデータを受信した後に、上記第１のページデータを受信し、上記第２の要求信号に応じて上記通知ページデータを受信した後に、上記第２のページを受信する受信手段と
を具えることを特徴とする端末装置。
【請求項２４】
上記送信手段は、
上記送信手段によって送信した上記第２の要求信号が、上記第２のページデータを提供する第２のページデータ提供装置によって拒絶されたとき、上記第２のページデータ提供装置に上記第２の要求信号を受け付けさせるために必要な受付必要情報を、上記第１のページデータを提供する第１のページデータ提供装置に対して要求する要求信号を送信し、
上記受信手段は、
上記要求に応じて上記第１のページデータ提供装置から送信される上記受付必要情報と上記通知ページデータのアドレス情報とを受信し、
上記受信した上記通知ページデータのアドレス情報に基づいて上記第１のページデータ提供装置にアクセスすることにより上記通知ページデータを受信し、
上記受信した通知ページデータに基づいて上記通知情報が示されてなる通知ページを表
示部に転送し、
上記送信手段は、
上記表示部に表示された上記通知ページに対する操作に応じて、上記第２の要求信号を上記受付必要情報と共に再送信し、
上記受信手段は、
上記再送信に応じて、上記第２のページデータ提供装置から上記第２のページデータを受信する
ことを特徴とする請求の範囲第２３項に記載の端末装置。
【請求項２５】
上記受信手段は、
上記通知ページデータのアドレス情報に基づいて上記第１のページデータ提供装置にアクセスするとき、当該第１のページデータ提供装置に対して上記第２のページデータに対応するアドレス情報を送信しておくことにより、上記第１のページデータ提供装置から上記第２のページデータに対応するアドレス情報を含む上記通知ページデータを受信する
ことを特徴とする請求の範囲第２４項に記載の端末装置。
【請求項２６】
上記受信手段は、
上記通知ページデータのアドレス情報に基づいて上記第１のページデータ提供装置にアクセスするとき、当該第１のページデータ提供装置に対して上記第２のページデータを識別するためのサービス識別情報を送信しておくことにより、上記第１のページデータ提供装置から上記サービス識別情報に対応する付加情報を含む上記通知ページデータを受信する
ことを特徴とする請求の範囲第２４項に記載の端末装置。
【請求項２７】
上記送信手段は、
上記送信手段によって送信された上記第２の要求信号が、上記第２のページデータを提供する第２のページデータ提供装置によって拒絶されたとき、上記第２のページデータ提供装置に上記第２の要求信号を受け付けさせるために必要な受付必要情報を、上記第１のページデータを提供する第１のページデータ提供装置に対して要求する要求信号を送信し、
さらに、上記要求が上記第１のページデータ提供装置により拒絶されたとき、当該第１のページデータ提供装置に対してユーザ識別情報とパスワードを送信し、
上記受信手段は、
上記第１のページデータ提供装置が上記ユーザ識別情報とパスワードを認証し、当該第１のページデータ提供装置から送信される認証セッションＩＤと、上記通知ページデータのアドレス情報とを受信し、
上記受信した上記通知ページデータのアドレス情報に基づいて、上記認証セッションＩＤを付加して上記第１のページデータ提供装置にアクセスすることにより上記通知ページデータを受信し、
上記受信した通知ページデータに基づいて上記通知情報が示されてなる通知ページを表示部に転送し、
上記送信手段は、
上記受付必要情報を要求する信号を再び上記第１のページデータ提供装置に対して送信し、
上記受信手段は、
上記要求に応じて上記第１のページデータ提供装置により送信された上記受付必要情報を受信し、
上記送信手段は、
上記第２の要求信号を上記受付必要情報と共に再送信し、
上記受信手段は、
上記再送信に応じて、上記第２のページデータ提供装置から上記第２のページデータを受信する
ことを特徴とする請求の範囲第２３項に記載の端末装置。
【請求項２８】
上記受信手段は、
上記通知ページデータのアドレス情報に基づいて上記第１のページデータ提供装置にアクセスするとき、当該第１のページデータ提供装置に対して上記第２のページデータに対応するアドレス情報を送信しておくことにより、上記第１のページデータ提供装置から上記第２のページデータに対応するアドレス情報を含む上記通知ページデータを受信する
ことを特徴とする請求の範囲第２７項に記載の端末装置。
【請求項２９】
上記通知ページデータのアドレス情報に基づいて上記第１のページデータ提供装置にアクセスするとき、当該第１のページデータ提供装置に対して上記第２のページデータを識別するためのサービス識別情報を送信しておくことにより、上記第１のページデータ提供装置から上記サービス識別情報に対応する付加情報を含む上記通知ページデータを受信する
ことを特徴とする請求の範囲第２７項に記載の端末装置。
【請求項３０】
所定の通知情報が示されてなる通知ページデータと第１のページデータとを有するページデータ提供装置において、
上記第１のページデータを要求する第１の要求信号を端末装置から受信する受信手段と、
上記受信手段により受信された上記第１の要求信号に応じて、上記第１のページデータを送信する前に、上記通知ページデータを上記端末装置に対して送信し、
上記端末装置が第２のページデータを要求する第２の要求信号を上記第２のペーージデータを提供する他のページデータ提供装置に対して送信したとき、上記第２の要求信号に応じて上記他のページデータ提供装置から上記第２のページデータが送信される前に、上記通知ページデータを上記端末装置に対して送信する送信手段と、
を具えることを特徴とするページデータ提供装置。
【請求項３１】
上記送信手段は、
上記端末装置からの上記第２の要求信号が上記他のページデータ提供装置によって拒絶された後、当該他のページデータ提供装置に上記第２の要求信号を受け付けさせるために必要な受付必要情報が上記端末装置から要求されると、上記受付必要情報と上記通知ページデータのアドレス情報とを上記端末装置に対して送信し、
上記受信手段が、上記受付必要情報及び上記通知ページデータのアドレス情報を受信した上記端末装置から当該アドレス情報に基づいてアクセスされたとき、上記送信手段が、上記通知ページデータを上記端末装置に対して送信することにより、上記通知ページデータに基づく通知ページを上記端末装置の表示部に表示させる
ことを特徴とする請求の範囲第３０項に記載のページデータ提供装置。
【請求項３２】
上記受信手段が、上記端末装置から上記通知ページデータのアドレス情報に基づいてアクセスされたとき、上記端末装置から上記第２のページデータに対応するアドレス情報を受信すると、
上記送信手段は、
当該第２のページデータに対応するアドレス情報を含ませた上記通知ページデータを上記端末装置に対して送信する
ことを特徴とする請求の範囲第３１項に記載のページデータ提供装置。
【請求項３３】
上記受信手段が、上記端末装置から上記通知ページデータのアドレス情報に基づいてアクセスされたとき、上記端末装置から上記第２のページデータを識別するためのサービス識別情報を受信すると、
上記送信手段は、
当該サービス識別情報に対応する付加情報を含ませた上記通知ページデータを上記端末装置に対して送信する
ことを特徴とする請求の範囲第３１項に記載のページデータ提供装置。
【請求項３４】
上記通知ページデータには、上記第２のページデータに対応するサービスの状況も示される
ことを特徴とする請求の範囲第３０項に記載のページデータ提供装置。
【請求項３５】
上記第１のページデータには、上記第２のページデータへのリンク情報も含まれる
ことを特徴とする請求の範囲第３０項に記載のページデータ提供装置。
【請求項３６】
上記受信手段は、
上記端末装置からの上記第２の要求信号が上記他のページデータ提供装置によって拒絶された後、当該他のページデータ提供装置に上記第２の要求信号を受け付けさせるために必要な受付必要情報を要求する信号を、認証セッションＩＤと共に受信し、
上記送信手段は、
上記認証セッションＩＤが有効期限を越えているとき、認証エラーを示す認証応答を上記端末装置に送信し、
上記受信手段は、
上記端末装置から、ユーザ識別情報とパスワードを受信し、
上記送信手段は、
上記ユーザ識別情報とパスワードに基づき認証処理を行い、認証セッションＩＤを発行し、上記通知ページデータがあれば当該通知ページデータのアドレス情報と共に上記端末装置に対して送信し、上記認証セッションＩＤが付加された上記通知ページデータのアドレスに対するアクセスに応じて、上記認証セッションＩＤにより認証処理し、認証許可されたとき当該通知ページデータを上記端末装置に対して送信する
ことを特徴とする請求の範囲第３０項に記載のページデータ提供装置。
【請求項３７】
上記受信手段が、上記端末装置から上記通知ページデータのアドレス情報に基づいてアクセスされたとき、上記端末装置から上記第２のページデータに対応するアドレス情報を受信すると、
上記送信手段は、
当該第２のページデータに対応するアドレス情報を含ませた上記通知ページデータを上記端末装置に対して送信する
ことを特徴とする請求の範囲第３６項に記載のページデータ提供装置。
【請求項３８】
上記受信手段が、上記端末装置から上記通知ページデータのアドレス情報に基づいてアクセスされたとき、上記端末装置から上記第２のページデータを識別するためのサービス識別情報を受信すると、
上記送信手段は、当該サービス識別情報に対応する付加情報を含ませた上記通知ページデータを上記端末装置に対して送信する
ことを特徴とする請求の範囲第３６項に記載のページデータ提供装置。
【請求項３９】
上記通知ページデータには、上記第２のページデータに対応するサービスの状況も示される
ことを特徴とする請求の範囲第３６項に記載のページデータ提供装置。
【請求項４０】
上記第１のページデータには、上記第２のページデータへのリンク情報も含まれる
ことを特徴とする請求の範囲第３６項に記載のページデータ提供装置。
【請求項４１】
端末装置に対し、
第１のページデータを要求する第１の要求信号を送信する第１のステップと、
第２のページデータを要求する第２の要求信号を送信する第２のステップと、
上記第１の要求信号に応じて所定の通知情報が示されてなる通知ページデータを受信した後に、上記第１のページデータを受信する第３のステップと、
上記第２の要求信号に応じて上記通知ページデータを受信した後に、上記第２のページデータを受信する第４のステップと
を実行させるためのページデータ受信プログラム。
【発明の詳細な説明】
【技術分野】  本発明はページデータ受信方法、ページデータ提供方法及びその装置並びにプログラムに関し、例えば、サーバや所定のネットワークを用いて構築されたシステムを運用する運用者が、当該システムを利用するユーザに対して、何らかの情報を通知する際に適用して好適なものである。
【背景技術】  近年、インターネット等のネットワークに接続されたサーバを利用して、例えばＣＤ（Ｃｏｍｐａｃｔ  Ｄｉｓｃ）を販売するためのＷｅｂページ（以下、これを単にページとも呼ぶ）を開設することにより、ユーザにＣＤ販売店へ出向かせることなく、ＣＤを購入させることができるようになされたシステムが普及しつつある（例えば特許文献１参照）。
【特許文献１】特開２００３−４４４８４公報。
ところでこのようなシステムにおいては、システムのサーバを停止してメンテナンスする作業を定期的に行う必要があり、このようなときには作業日程等の情報（以下、これをメンテナンス情報と呼ぶ）を、ユーザに対して事前に通知しておくことが望ましい。
ここで従来では、ユーザが通常最初にアクセスするＷｅｂページ（以下、これをトップページと呼ぶ）の所定部分に、このようなメンテナンス情報を掲示しておくことにより、当該メンテナンス情報をユーザに通知していた。
しかしながら、トップページを注視しないユーザも多く存在することが考えられるので、このような従来手法では、かかるメンテナンス情報を確実に通知することができていたとは言い難い問題があった。
【発明の開示】
本発明は以上の点を考慮してなされたもので、ユーザに知らせるべき情報を確実に通知し得るページデータ受信方法、ページデータ提供方法及びその装置並びにプログラムを提案しようとするものである。
かかる課題を解決するために本発明においては、ページデータ受信方法において、第１のページデータを要求する第１の要求信号を送信する第１のステップと、第２のページデータを要求する第２の要求信号を送信する第２のステップと、第１の要求信号に応じて所定の通知情報が示されてなる通知ページデータを受信した後に、第１のページデータを受信する第３のステップと、第２の要求信号に応じて通知ページデータを受信した後に、第２のページデータを受信する第４のステップとを設けるようにした。
また本発明においては、所定の通知情報が示されてなる通知ページデータと第１のページデータとを有するページデータ提供装置のページデータ提供方法において、第１のページデータを要求する第１の要求信号を端末装置から受信したとき、第１のページデータを送信する前に、通知ページデータを端末装置に対して送信する第１のステップと、端末装置が第２のページデータを要求する第２の要求信号を第２のページデータを提供する他のページデータ提供装置に対して送信したとき、第２の要求信号に応じて他のページデータ提供装置から第２のページデータが送信される前に、通知ページデータを端末装置に対して送信する第２のステップとを設けるようにした。
さらに本発明においては、端末装置において、第１のページデータを要求する第１の要求信号と、第２のページデータを要求する第２の要求信号とを送信する送信手段と、第１の要求信号に応じて所定の通知情報が示されてなる通知ページデータを受信した後に、第１のページデータを受信し、第２の要求信号に応じて通知ページデータを受信した後に、第２のページを受信する受信手段とを設けるようにした。
さらに本発明においては、所定の通知情報が示されてなる通知ページデータと第１のページデータとを有するページデータ提供装置において、第１のページデータを要求する第１の要求信号を端末装置から受信する受信手段と、受信手段により受信された上記第１の要求信号に応じて、第１のページデータを送信する前に、通知ページデータを上記端末装置に対して送信し、端末装置が第２のページデータを要求する第２の要求信号を第２のページデータを提供する他のページデータ提供装置に対して送信したとき、第２の要求信号に応じて他のページデータ提供装置から第２のページデータが送信される前に、通知ページデータを端末装置に対して送信する送信手段とを設けるようにした。
さらに本発明においては、所定のページデータを有するページデータ提供装置のページデータ提供方法において、端末装置から、ページデータを要求する要求信号と共に当該要求信号を受け付けるために必要な受付必要情報を受信したとき、当該要求信号を受け付けてページデータを端末装置に対して送信するようにした。
さらに本発明においては、所定のページデータを有するページデータ提供装置において、端末装置から、ページデータを要求する要求信号と共に当該要求信号を受け付けるために必要な受付必要情報を受信したとき、当該要求信号を受け付けてページデータを端末装置に対して送信するようにした。
さらに本発明においては、端末装置に対し実行させるページデータ受信プログラムにおいて、第１のページデータを要求する第１の要求信号を送信する第１のステップと、第２のページデータを要求する第２の要求信号を送信する第２のステップと、第１の要求信号に応じて所定の通知情報が示されてなる通知ページデータを受信した後に、第１のページデータを受信する第３のステップと、第２の要求信号に応じて通知ページデータを受信した後に、第２のページデータを受信する第４のステップとを設けるようにした。
この結果この端末装置は、第１の要求信号又は第２の要求信号に応じた第１のページデータ又は第２のページデータを受信する前に、通知情報が示されてなる通知ページデータを受信することにより、通知情報のみを優先的に表示することができる。
本発明によれば、端末装置は、第１のページデータ又は第２のページデータに基づくページを表示する前に、通知情報が示されてなる通知ページデータを表示することができるので、この結果、ユーザに対して当該通知情報を確実に通知することができる。
【図面の簡単な説明】  図１は、本発明による第１の実施の形態におけるコンテンツ販売システムの全体構成を示す略線図である。
図２は、基本画面（１）を示す略線図である。
図３は、基本画面（２）を示す略線図である。
図４は、基本画面（３）を示す略線図である。
図５は、基本画面（４）を示す略線図である。
図６は、ポータルサーバの回路構成を示すブロック図である。
図７は、コンテンツ販売サーバの回路構成を示すブロック図である。
図８は、クライアント端末の回路構成を示すブロック図である。
図９は、フォルダ構成を示す略線図である。
図１０は、クライアント端末のプログラムモジュールを示す略線図である。
図１１は、ページ表示処理手順（１）を示すシーケンスチャートである。
図１２は、ページ表示処理手順（２）を示すシーケンスチャートである。
図１３は、基本画面（５）を示す略線図である。
図１４は、ページ表示処理手順（３）を示すシーケンスチャートである。
図１５は、ページ表示処理手順（４）を示すシーケンスチャートである。
図１６は、ページ表示処理手順（５）を示すシーケンスチャートである。
図１７は、基本画面（６）を示す略線図である。
図１８は、本発明による第２の実施の形態におけるクライアント端末の機能回路ブロックによるハードウェア構成を示すブロック図である。
図１９は、ポータルサーバの機能回路ブロックによるハードウェア構成を示すブロック図である。
図２０は、コンテンツ販売サーバの機能回路ブロックによるハードウェア構成を示すブロック図である。
図２１は、トップページを介したＡ社・ＣＤ販売ページの表示処理手順を示すシーケンスチャートである
図２２は、図２１のトップページを介したＡ社・ＣＤ販売ページの表示処理手順を示すシーケンスチャートに続くシーケンスチャートである。
図２３は、ブックマークからのＡ社・ＣＤ販売ページの表示処理手順を示すシーケンスチャートである。
図２４は、図２３のブックマークからのＡ社・ＣＤ販売ページの表示処理手順を示すシーケンスチャートに続くシーケンスチャートである。
【符号の説明】
１……コンテンツ販売システム、２、１００２……クライアント端末、２Ａ、１００２Ａ……アプリケーションモジュール、２Ｂ、１００２Ｂ……通信モジュール、３……ネットワーク、４、１００３……ポータルサーバ、５、１００５……コンテンツ販売サーバ、１０、２０、１０２３、１０５０、１０９０……制御部、３０……ＣＰＵ、１５、２５……データ通信処理部、４４……通信処理部、４５……ネットワークインタフェース
【発明を実施するための最良の形態】  以下図面について、本発明の実施の形態を詳述する。
（１）第１の実施の形態
（１−１）コンテンツ販売システムの全体構成
図１において、１は全体としてコンテンツ販売システムを示し、このコンテンツ販売システム１に参加することが許されているユーザのクライアント端末２は、所定のネットワーク３を介して、当該クライアント端末２を管理するポータルサーバ４や、各種コンテンツが記録されてなるＣＤ／ＤＶＤを販売するためのコンテンツ販売サーバ５等と接続されている。
クライアント端末２は、ユーザによって電源が投入されると、例えば図２に示すような基本画面ＤＰ１を表示部に表示する。この基本画面ＤＰ１は、ＸＭＬ（ｅＸｔｅｎｓｉｂｌｅ  Ｍａｒｋｕｐ  Ｌａｎｇｕａｇｅ）等の言語によって記述されたソースに基づいて種々のページが表示されるページ表示領域ＡＲ１と、ユーザがこれまで登録したブックマークが表示されるブックマーク表示領域ＡＲ２とを有している。
例えばクライアント端末２は、このコンテンツ販売システム１のトップページを表示するためのトップページ表示操作が行われたとき、当該トップページのソースを保持するポータルサーバ４に対して、当該ソースを送信するように要求する要求信号と、予め登録されているユーザのＩＤ及びパスワードとを送信する。
ポータルサーバ４は、かかる要求信号とＩＤ及びパスワードとを受信すると、このＩＤ及びパスワードに基づいて所定のユーザ認証処理を実行する。
そしてポータルサーバ４は、このユーザ認証処理の結果、クライアント端末２のユーザを正規ユーザとして認証できたとき、この旨と当該認証が完了した時刻（以下、これを認証完了時刻と呼ぶ）とを示した認証結果情報を生成し、当該生成した認証結果情報と、クライアント端末２からの要求信号に応じたトップページのソースとを、クライアント端末２へ送信する。
クライアント端末２は、ポータルサーバ４から認証結果情報とトップページのソースとを受信すると、例えば図３に示すように、当該ソースに基づいてトップページをページ表示領域ＡＲ１に表示する。因みにこのトップページにおいては、その上部にページのタイトル「トップページ」が表示されており、またこの下側には、Ａ社・ＣＤ販売ページへのリンクが設定されているボタンＢＴ１や、その他のページへのリンクが設定されているボタンが複数表示されている。
例えばユーザの操作によりこのトップページ上のボタンＢＴ１が選択されると、クライアント端末２は、当該トップページのソースを参照してＡ社・ＣＤ販売ページのＵＲＬ（Ｕｎｉｆｏｒｍ  Ｒｅｓｏｕｒｃｅ  Ｌｏｃａｔｏｒ）を認識した後これに基づいて、Ａ社運営のコンテンツ販売サーバ５に対し、Ａ社・ＣＤ販売ページのソースを送信するように要求する要求信号と、ポータルサーバ４から最近取得した認証結果情報とを送信する。
この要求信号と認証結果情報とを受信したコンテンツ販売サーバ５は、当該認証結果情報中の認証完了時刻等を参照することにより、クライアント端末２のユーザが正規ユーザとして最近（例えば過去１分以内）認証されたか否かを判定するようになされており、例えばこの判定の結果、クライアント端末２のユーザが正規ユーザとして最近認証されていることを認識すると、かかる要求信号に応じたＡ社・ＣＤ販売ページのソースを、クライアント端末２へ送信する。
なおコンテンツ販売サーバ５は、かかる判定の結果、クライアント端末２のユーザが正規ユーザとして最近認証されていないことを認識すると、Ａ社・ＣＤ販売ページのソースをクライアント端末２へ送信しないようになされている。
コンテンツ販売サーバ５からＡ社・ＣＤ販売ページのソースを受信したクライアント端末２は、例えば図４に示すように、当該ソースに基づいてＡ社・ＣＤ販売ページをページ表示領域ＡＲ１上に表示する。これによりクライアント端末２のユーザは、このＡ社・ＣＤ販売ページを介して、コンテンツ販売サーバ５が提供するＣＤ販売サービスを利用し得るようになされている。
因みに、ＸＭＬ等で記述されているこのＡ社・ＣＤ販売ページのソースには、当該ページのタイトル情報「Ａ社・ＣＤ販売ページ」等だけでなく、ＣＤ販売サービスを提供するためのページであることを示すためのサービス識別情報も記されている。
そしてこの後クライアント端末２は、例えばユーザによりＡ社・ＣＤ販売ページをブックマークするブックマーク設定操作が行われると、当該Ａ社・ＣＤ販売ページのソースに記されているタイトル情報「Ａ社・ＣＤ販売ページ」及びサービス識別情報と当該ＣＤ販売ページのＵＲＬとを対応付けて記憶した後、例えば図５に示すように、このタイトル情報「Ａ社・ＣＤ販売ページ」のみをブックマーク表示領域ＡＲ２に表示する。
このようにしてクライアント端末２は、コンテンツ販売サーバ５から提供されるＡ社・ＣＤ販売ページを表示部に表示し得、また当該表示したＡ社・ＣＤ販売ページをブックマークし得るようにもなされている。
（１−２）ポータルサーバの構成
図６に示すポータルサーバ４は、ＣＰＵ（Ｃｅｎｔｒａｌ  Ｐｒｏｃｅｓｓ−ｉｎｇ  Ｕｎｉｔ）からなる制御部１０が、ＲＯＭ（Ｒｅａｄ  Ｏｎｌｙ  Ｍｅｍｏｒｙ）１１又はハードディスクドライブ１２に記憶されている基本プログラムや各種プログラムを、バス１３を介してＲＡＭ（Ｒａｎｄｏｍ  Ａｃｃｅｓｓ  Ｍｅｍｏｒｙ）１４に適宜展開しこれを実行することにより、ユーザ認証処理等の各種処理を実行するようになされている。また、このハードディスクドライブ１２には、コンテンツ販売システム１に参加することが許されている各ユーザのＩＤ及びパスワードも予め記憶されている。
例えばポータルサーバ４の制御部１０は、クライアント端末２からネットワーク３及びデータ通信処理部１５を順次介して、ユーザのＩＤ及びパスワードを受信すると、ユーザ認証処理を開始して、当該ユーザのＩＤ及びパスワードが、ハードディスクドライブ１２に記憶されているか否かを判定する。
そしてポータルサーバ４の制御部１０は、かかる判定の結果として、ハードディスクドライブ１２に当該ユーザのＩＤ及びパスワードが記憶されていることを認識すると、クライアント端末２のユーザを正規ユーザとして認証し、この旨と認証完了時刻とを示した認証結果情報をクライアント端末２へ送信する一方、ハードディスクドライブ１２に当該ユーザのＩＤ及びパスワードが記憶されていないことを認識すると、クライアント端末２のユーザを正規ユーザとして認証せず、この旨を示した認証結果情報をクライアント端末２へ送信する。
（１−３）コンテンツ販売サーバの構成
図７に示すコンテンツ販売サーバ５は、ＣＰＵからなる制御部２０が、ＲＯＭ２１又はハードディスクドライブ２２に記憶されている基本プログラムや各種プログラムを、バス２３を介してＲＡＭ２４に適宜展開しこれを実行することにより、ユーザにＣＤを購入させるためのＣＤ販売処理や、その他各種処理を実行するようになされている。また、このハードディスクドライブ２２には、Ａ社・ＣＤ販売ページを始めとする各種ページのソースが予め記憶されている。
コンテンツ販売サーバ５の制御部２０は、クライアント端末２からネットワーク３及びデータ通信処理部２５を順次介して、認証結果情報とＡ社・ＣＤ販売ページのソースを要求する要求信号とを受信すると、まず最初に、当該認証結果情報中の認証完了時刻等を参照することにより、クライアント端末２のユーザが正規ユーザとして最近（例えば過去１分以内）認証されたか否かを判定する。
実際上コンテンツサーバ５のハードディスクドライブ２２には、ユーザ認証が完了してから１分以内の認証結果情報を有効とする旨が定義されてなる定義情報が予め記憶されており、コンテンツサーバ５の制御部２０は、この定義情報に基づいてクライアント端末２からの認証結果情報が有効であることを認識すると、クライアント端末２のユーザが正規ユーザとして最近認証されたと判定するようになされている。またこれに限らず、例えばポータルサーバ４が認証結果情報を生成する際、当該認証結果情報に対して有効期限を示す有効期限情報も含めるようにしておき、コンテンツサーバ５の制御部２０は、この認証結果情報中の有効期限情報に基づいて、当該認証結果情報が有効か否かを判断するようにしても良い。
そしてコンテンツ販売サーバ５の制御部２０は、かかる判定の結果、クライアント端末２のユーザが正規ユーザとして最近認証されていることを認識すると、かかる要求信号に応じたＡ社・ＣＤ販売ページのソースを、ハードディスクドライブ２２から読み出して、これをクライアント端末２へ送信するようになされている。
（１−４）クライアント端末の構成
（１−４−１）回路構成
図８に示すようにクライアント端末２のＣＰＵ３０は、バス３１を介して接続されたＲＯＭ３２から読み出してＲＡＭ３３に展開したＯＳ（Ｏｐｅｒａｔ−ｉｎｇ  Ｓｙｓｔｅｍ）等の基本プログラム及び各種アプリケーションプログラムに基づき全体の制御や所定の演算処理等を行うようになされており、例えばネットワーク３を介した通信動作、ユーザからの入出力操作、メディアからのコンテンツ再生やラジオ局からダウンロードしたコンテンツのハードディスクドライブ（ＨＤＤ）３４への書き込み及びその管理等を実行する。
操作入力部３５は、本体部の筐体表面やリモートコントローラ（図示せず）の各種操作子に対するユーザの操作に応じた入力情報を入力処理部３６へ送出し、当該入力処理部３６で所定の処理を施した後に操作コマンドとしてＣＰＵ３０へ送出し、当該ＣＰＵ３０で操作コマンドに応じた処理を実行するようになされている。
表示部３７は、例えば液晶ディスプレイ等の表示デバイスが本体部の筐体表面に直接取り付けられている場合や、外付けの表示デバイスであってもよく、表示処理部３８を介して入力される各種情報を表示するようになされている。また本実施の形態の場合、この表示部３７は、通常のテレビジョンやパーソナルコンピュータ用のディスプレイよりも小さいサイズ（５インチ程度）となっている。
メディアドライブ３９は、例えばＣＤや、フラッシュメモリ等でなるメモリスティック（登録商標）を再生するドライブであって、再生結果をオーディオデータ処理部４０を介してディジタルアナログ変換処理した後に２ｃｈのスピーカ４１から出力するようになされている。
なおＣＰＵ３０は、メディアドライブ３９を介して再生したデータが楽曲のオーディオコンテンツである場合、オーディオデータファイルとしてハードディスクドライブ３４に記憶することも可能である。
さらにＣＰＵ３０は、メディアドライブ３９によってメモリスティック（登録商標）に記憶された複数枚の静止画を読み出し、これらを表示処理部３８を介して表示部３７にスライドショーとして表示することもできる。
またＣＰＵ３０は、ハードディスクドライブ３４に記憶した複数の楽曲をランダムアクセスで読み出し、あたかもジュークボックスのようにユーザ所望の順番で再生して出力することも可能である。
チューナ部４２は、例えばＡＭ、ＦＭラジオチューナであって、ＣＰＵ３０の制御に基づいてアンテナ４３で受信した放送信号を復調し、その結果を放送音声としてオーディオデータ処理部４０を介してスピーカ４１から出力する。
通信処理部４４は、ＣＰＵ３０の制御に基づいて送信データのエンコード処理を行い、ネットワークインターフェース４５を介してネットワーク３経由で外部のネットワーク対応機器へ送信したり、当該ネットワークインターフェース４５介して外部のネットワーク対応機器から受信した受信データのデコード処理を行い、ＣＰＵ３０へ転送するようになされている。
（１−４−２）ディレクトリ管理
クライアント端末２のＣＰＵ３０は、ハードディスクドライブ３４に対して記憶するコンテンツを記憶する際、図９に示すディレクトリ構成で管理するようになされている。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザなどに対応して作成されるようになされている。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトルごとに対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツについてのディレクトリ管理は、ハードディスクドライブ３４に記憶されているデータベースファイルによって行われるようになされている。
（１−４−３）プログラムモジュール構成
図１０に示すようにクライアント端末２のプログラムモジュールとしては、ＯＳ上で動作するようになされており、具体的にはＣＤの物販を行うコンテンツ販売サーバ５、インターネットラジオサーバ、音楽配信運営サーバ、ポータルサーバ４、関連情報提供サーバ、その他各種サーバとの間でやりとりを行う。
ＨＴＴＰ（Ｈｙｐｅｒ  Ｔｅｘｔ  Ｔｒａｎｓｆｅｒ  Ｐｒｏｔｏｃｏｌ）メッセージプログラム５０は、コンテンツ販売サーバ５やポータルサーバ４等の各種サーバとの間のやりとりをＨＴＴＰ通信で行うものであり、コミュニケータプログラム５１は、ＨＴＴＰメッセージプログラム５０とデータのやり取りを行うプログラムモジュールである。
コミュニケータプログラム５１の上位には、コンテンツのコーデックを解釈して再生するコンテンツ再生モジュール５２、著作権保護に関する情報を取り扱う著作権保護情報管理モジュール５３が位置し、そのコンテンツ再生モジュール５２、著作権保護情報管理モジュール５３に対してインターネットラジオの選局及び再生を行うインターネットラジオ選局再生モジュール５４、楽曲購入及び試聴曲の再生を司る楽曲購入再生モジュール５５がそれぞれ位置している。
それらインターネットラジオ選局再生モジュール５４、楽曲購入再生モジュール５５の上位にはＸＭＬブラウザ５６が位置し、当該ＸＭＬブラウザ５６は、ＸＭＬやＨＴＭＬ（Ｈｙｐｅｒ  Ｔｅｘｔ  Ｍａｒｋｕｐ  Ｌａｎｇｕａｇｅ）等の言語で記述されたソースを解釈し、この結果に基づいてＷｅｂページ（以下、これを単にページとも呼ぶ）を表示部３７に表示する。
例えば、ＸＭＬブラウザ５６を介してユーザに選択された楽曲は楽曲購入再生モジュール５５で購入され、ハードディスクコンテンツコントローラ５７を介してハードディスクドライブ３４に書き込まれる。
なおコミュニケータプログラム５１には、ライブラリ５８の認証ライブラリ５８Ａが接続されており、当該認証ライブラリ５８Ａによってポータルサーバ４との間でユーザ認証処理等を行うようになされている。
さらにコミュニケータプログラム５１の上位には、データベースアクセスモジュール５９、コンテンツデータアクセスモジュール６０及びハードディスクコンテンツコントローラ５７が位置する。
このデータベースアクセスモジュール５９は、ハードディスクドライブ３４に構築された各種データベースにアクセスし、コンテンツデータアクセスモジュール６０はハードディスクドライブ３４に格納されたコンテンツにアクセスし、ハードディスクコンテンツコントローラ５７はハードディスクドライブ３４に格納されたコンテンツを管理するようになされている。
ハードディスクコンテンツコントローラ５７の上位には、ラジオ局が放送した楽曲のタイトル及びアーティスト名を表示するための関連情報表示モジュール６１が位置しており、また、ラジオ局を選局したり当該ラジオ局から受信した楽曲のコンテンツをハードディスクドライブ３４に録音するチューナ選局再生／録音モジュール６２も位置している。
例えば、オーディオユーザインタフェース６３を介して選局されたラジオ局から受信した楽曲は、コンテンツデータアクセスモジュール６０を介してハードディスクドライブ３４へ書き込まれるようになされている。
関連情報表示モジュール６１は、チューナ選局再生／録音モジュール６２によって現在ラジオ局が放送している楽曲のタイトルやアーティスト名を関連情報として関連情報提供サーバからＨＴＴＰメッセージプログラム５０経由で受信し、これをオーディオユーザインタフェース（ＵＩ）６３を介して表示部３７に表示する。
なおオーディオユーザインタフェース６３を介して表示部３７に表示した関連情報は、ライブラリ５８のクリップライブラリ５８Ｂに一時的に記憶することもでき、ユーザからの指示に従って最終的にはデータベースアクセスモジュール５９を介してハードディスクドライブ３４へ記憶されるようになされている。
さらにクライアント端末２のプログラムモジュールとしては、ＣＤを再生するためのＣＤ再生モジュール６４と、ハードディスクドライブ３４を再生するためのＨＤＤ再生モジュール６５とが含まれており、再生結果をオーディオデータ処理部４０及びスピーカ４１を順次介して出力する。
（１−５）ページ表示処理手順
コンテンツ販売サーバ５から提供されるＡ社・ＣＤ販売ページ等の各種ページを、クライアント端末２の表示部３７に表示するまでの処理手順（以下、これをページ表示処理手順と呼ぶ）について、以下に説明する。
（１−５−１）トップページを介したＡ社・ＣＤ販売ページの表示
本実施の形態のクライアント端末２は、図３に示したトップページにおけるボタンＢＴ１が選択されると、これに応じてＡ社・ＣＤ販売ページを表示するようになされている。ここではこの場合のページ表示処理手順を、図１１及び図１２に示すシーケンスチャートを用いて説明する。
なお、図１１及び図１２や後述する図１４、図１５及び図１６においては、クライアント端末２におけるアプリケーションモジュール２Ａと通信モジュール２Ｂとを明示した。このアプリケーションモジュール２Ａは、上述のＸＭＬブラウザ５６等に相当し、また通信モジュール２Ｂは、上述のコミュニケータプログラム５１等に相当するものである。このアプリケーションモジュール２Ａは、その下位の通信モジュール２Ｂを介して、ポータルサーバ４やコンテンツ販売サーバ５と、アプリケーションレベルのコマンドやデータをやり取りするようになされている。
また、ここから以下の記載では、説明の便宜上、クライアント端末２におけるアプリケーションモジュール２Ａ及び通信モジュール２Ｂを主体的に扱って説明を行う。しかしながら実際には、クライアント端末２のＣＰＵ３０が、これらアプリケーションモジュール２Ａ及び通信モジュール２Ｂに従って、各種処理を実行するようになされていることは言うまでもない。
クライアント端末２のアプリケーションモジュール２Ａは、トップページを表示部３７に表示させる操作が行われたことを認識すると、ステップＳＰ１へ進んで、トップページのソースを要求するための要求信号（以下、これを第１要求信号と呼ぶ）を通信モジュール２Ｂへ引き渡し、ステップＳＰ２へ進む。
ステップＳＰ２においてクライアント端末２の通信モジュール２Ｂは、アプリケーションモジュール２Ａから引き渡された第１要求信号と合わせて、ユーザのＩＤ及びパスワードを、ポータルサーバ４へ送信する。
ポータルサーバ４の制御部１０は、クライアント端末２から第１要求信号と合わせてかかるユーザのＩＤ及びパスワードを受信すると、ステップＳＰ３において、当該ユーザのＩＤ及びパスワードに基づきユーザ認証処理を実行する。そしてポータルサーバ４の制御部１０は、このユーザ認証処理の結果、かかるユーザを正規ユーザとして認証することができて、この旨と認証完了時刻を示した認証結果情報を生成し終えると、続くステップＳＰ４に進み、ハードディスクドライブ１２の所定記憶場所に、お知らせページのソースが存在するか否かを判定する。
本実施の形態の場合、このお知らせページは、コンテンツ提供システムを運用する運用者によって適宜作成されるものであり、例えばポータルサーバ４のメンテナンス情報等が記載されるようになされている。
このステップＳＰ４において肯定結果が得られると、このことは、運用者によって作成されたお知らせページのソースが、ハードディスクドライブ１２の所定記憶場所に記憶されていることを意味しており、このときポータルサーバ４の制御部１０は、ステップＳＰ５へ進んで、ステップＳＰ３で生成した認証結果情報をクライアント端末２へ送信することにより、当該認証結果情報をクライアント端末２の通信モジュール２Ｂに取得させた後（ステップＳＰ６）、ステップＳＰ７へ進んで、お知らせページのソースの記憶場所を示す記憶場所情報（例えばパスやＵＲＬ等）を、クライアント端末２へ送信する。
クライアント端末２のアプリケーションモジュール２Ａは、通信モジュール２Ｂを介して、ポータルサーバ４から送信された当該記憶場所情報を受信すると、ステップＳＰ８へ進み、当該記憶場所情報に基づいて、お知らせページのソースを送信するように要求するための要求信号（以下、これをお知らせページ要求信号と呼ぶ）を生成し、これを通信モジュール２Ｂを介してポータルサーバ４へ送信する。
このお知らせページ要求信号を受信したポータルサーバ４の制御部１０は、ステップＳＰ９へ進み、ハードディスクドライブ１２の所定記憶場所からお知らせページのソースを読み出して、これをクライアント端末２へ送信する。
そしてクライアント端末２のアプリケーションモジュール２Ａは、通信モジュール２Ｂを介して、ポータルサーバ４から送信されたお知らせページのソースを受信すると、ステップＳＰ１０へ進んで、当該ソースに基づき、例えば図１３に示すようなお知らせページをページ表示領域ＡＲ１上に表示する。このお知らせページには、ポータルサーバ４のメンテナンス情報や、トップページを表示させるためのボタンＢＴ２が表示されている。
このようにしてコンテンツ販売システム１においては、ポータルサーバ４側から、ユーザに知らせるべきサーバメンテナンス等の情報を、お知らせページを介して強制的に通知することができる。
この後、ユーザの操作によってお知らせページにおけるボタンＢＴ２が選択されると、クライアント端末２のアプリケーションモジュール２Ａは、続くステップＳＰ１１へ進み、トップページのソースを送信するように要求する第１要求信号を、通信モジュール２Ｂを介して、ポータルサーバ４へ再度送信する。
そしてポータルサーバ４の制御部１０は、かかる第１要求信号を再度受信すると、ステップＳＰ１２（図１２）へ進んで、ハードディスクドライブ１２からトップページのソースを読み出して、これをクライアント端末２へ送信する。
クライアント端末２のアプリケーションモジュール２Ａは、通信モジュール２Ｂを介して、ポータルサーバ４から送信されたトップページのソースを受信すると、ステップＳＰ１３へ進んで、当該ソースに基づきトップページ（図３）を表示する。
この後、例えばユーザの操作によってトップページにおけるボタンＢＴ１が選択されると、このときクライアント端末２のアプリケーションモジュール２Ａは、ステップＳＰ１４へ進んで、Ａ社・ＣＤ販売ページを要求する要求信号（以下、これを第２要求信号と呼ぶ）を通信モジュール２Ｂに引き渡す。
そして当該通信モジュール２Ｂは、ステップＳＰ１５において、かかる第２要求信号と共に、ステップＳＰ６で取得した認証結果情報を、Ａ社・ＣＤ販売ページのソースを保持するコンテンツ販売サーバ５へ送信する。
コンテンツ販売サーバ５の制御部２０は、クライアント端末２から第２要求信号及び認証結果情報を受信すると、ステップＳＰ１６へ進み、この認証結果情報中の認証完了時刻等を参照することにより、クライアント端末２のユーザが正規ユーザとして最近（例えば過去１分以内）認証されたか否かを判定するようになされており、例えばこの判定の結果、クライアント端末２のユーザが正規ユーザとして最近認証されていることを認識すると、ステップＳＰ１７へ進んで、かかる第２要求信号に応じたＡ社・ＣＤ販売ページのソースを、クライアント端末２へ送信する。
クライアント端末２のアプリケーションモジュール２Ａは、通信モジュール２Ｂを介して、コンテンツ販売サーバ５から送信されたＡ社・ＣＤ販売ページのソースを受信すると、ステップＳＰ１８へ進み、当該ソースに基づいてＡ社・ＣＤ販売ページ（図５）を表示する。
このようにこのコンテンツ販売システム１においては、クライアント端末２からトップページのソースを要求されたのにも関わらず、ポータルサーバ４側に、ユーザに対して知らせるべき情報が記されたお知らせページのソースが存在すると、ポータルサーバ４は、トップページのソースを送信する前に、お知らせページのソースを優先してクライアント端末２へ送信する。
かくしてクライアント端末２の表示部３７に対しては、トップページよりも優先的にお知らせページが表示されるので、このコンテンツ販売システム１の運用者は、当該お知らせページを利用することにより、ユーザに対して知らせるべき情報を確実に通知することができる。
因みに、上述のステップＳＰ４において否定結果が得られると、このことは、お知らせページのソースが、ハードディスクドライブ１２の所定記憶場所に存在しないことを意味しており、このときポータルサーバ４の制御部１０は、ステップＳＰ５へ進んで、ステップＳＰ３で生成した認証結果情報をクライアント端末２へ送信することにより、当該認証結果情報をクライアント端末２の通信モジュール２Ｂに取得させた後（ステップＳＰ６）、ステップＳＰ１２（図１２）へ進んで、第１要求信号に応じたトップページのソースを、クライアント端末２へ送信するようになされている。
（１−５−２）ブックマークからのＡ社・ＣＤ販売ページの表示
本実施の形態のクライアント端末２は、例えば図５に示したブックマーク表示領域ＡＲ２に表示されているタイトル情報「Ａ社・ＣＤ販売ページ」が選択されると、これに応じてＡ社・ＣＤ販売ページを表示するようになされている。ここではこの場合のページ表示処理手順を、図１４、図１５及び図１６に示すシーケンスチャートを用いて説明する。
クライアント端末２のアプリケーションモジュール２Ａは、例えばユーザの操作によりブックマーク表示領域ＡＲ２に表示されているタイトル情報「Ａ社・ＣＤ販売ページ」が選択されたことを認識すると、ステップＳＰ２１へ進み、当該タイトル情報「Ａ社・ＣＤ販売ページ」と対応付けて記憶しているＵＲＬに基づいて、このＡ社・ＣＤ販売ページのソースを要求する第２要求信号を生成し、これを通信モジュール２Ｂへ引き渡し、ステップＳＰ２２へ進む。
ステップＳＰ２２においてクライアント端末２の通信モジュール２Ｂは、アプリケーションモジュール２Ａから引き渡された第２要求信号と合わせて、例えば１時間前にポータルサーバ４から取得した認証結果情報を、Ａ社・ＣＤ販売ページのソースを保持するコンテンツ販売サーバ５へ送信する。
コンテンツ販売サーバ５の制御部２０は、クライアント端末２から第２要求信号及び認証結果情報を受信すると、ステップＳＰ２３へ進み、この認証結果情報中の認証完了時刻（この場合、約１時間前の時刻）等を参照することにより、クライアント端末２のユーザが正規ユーザとして最近（例えば過去１分以内）認証されたか否かを判定するようになされており、この判定の結果、クライアント端末２のユーザが正規ユーザとして最近認証されていないことを認識すると、ステップＳＰ２４へ進んで、クライアント端末２からの第２要求信号を拒絶する要求拒絶信号を生成し、これをクライアント端末２へ送信する。
クライアント端末２の通信モジュール２Ｂは、コンテンツ販売サーバ５から送信された要求拒絶信号に基づいて、コンテンツ販売サーバ５に対する要求が拒絶されたことを認識すると、ステップＳＰ２５へ進んで、ユーザのＩＤ及びパスワードを、ポータルサーバ４へ送信する。
ポータルサーバ４の制御部１０は、クライアント端末２から当該ユーザのＩＤ及びパスワードを受信すると、ステップＳＰ２６へ進んで、当該ユーザのＩＤ及びパスワードに基づきユーザ認証処理を実行する。そしてポータルサーバ４の制御部１０は、このユーザ認証処理の結果、かかるユーザを正規ユーザとして認証することができて、この旨と認証完了時刻を示した認証結果情報を生成し終えると、ハードディスクドライブ１２の所定記憶場所にお知らせページのソースが存在するか否かを確認する。
ここで、所定記憶場所にお知らせページのソースが存在することを確認したときには、図１６のステップＳＰ４０へ進み（後述する）、また所定記憶場所にお知らせページのソースが存在しないことを確認したときには、図１５のステップＳＰ２７へ進む。
図１５のステップＳＰ２７において、ポータルサーバ４の制御部１０は、生成した認証結果情報をクライアント端末２へ送信することにより、当該認証結果情報をクライアント端末２の通信モジュール２Ｂに取得させる（ステップＳＰ２８）。
そしてクライアント端末２の通信モジュール２Ｂは、ステップＳＰ２９へ進んで、Ａ社・ＣＤ販売ページのソースを要求する第２要求信号と共に、ステップＳＰ２８で取得した最新の認証結果情報を、コンテンツ販売サーバ５へ再度送信する。
コンテンツ販売サーバ５の制御部２０は、クライアント端末２から第２要求信号及び最新の認証結果情報を受信すると、ステップＳＰ３０へ進み、この認証結果情報中の認証完了時刻等を参照することにより、クライアント端末２のユーザが正規ユーザとして最近認証されたか否かを判定し、この判定の結果、クライアント端末２のユーザが正規ユーザとして最近認証されていることを認識すると、ステップＳＰ３１へ進み、クライアント端末２からの第２要求信号を受け付けて、Ａ社・ＣＤ販売ページのソースを、当該クライアント端末２へ送信する。
そしてクライアント端末２のアプリケーションモジュール２Ａは、通信モジュール２Ｂを介して、コンテンツ販売サーバ５から送信されたＡ社・ＣＤ販売ページのソースを受信すると、ステップＳＰ３２へ進み、当該ソースに基づいてＡ社・ＣＤ販売ページ（図５）を表示する。
このようにこのコンテンツ販売サーバ５は、所定期間内（ここでは過去１分以内）に正規ユーザとして認証されたユーザのクライアント端末２からなされた要求（第２要求信号）のみを、受け付けるようになされている。
またクライアント端末２においては、通信モジュール２Ｂが、当該クライアント端末２のユーザを正規ユーザとしてポータルサーバ４に認証させるための処理（ステップＳＰ２５、ステップＳＰ２８等）、当該認証の結果得られる認証結果情報を基にしてコンテンツ販売サーバ５へ要求を受け付けさせるための処理（ステップＳＰ２２、ステップＳＰ２９等）を一手に担う。
かくしてクライアント端末２のアプリケーションモジュール２Ａは、アプリケーション固有の処理（ステップＳＰ２１、ステップＳＰ３２）のみに専念することができる。
この結果、通信モジュール２Ｂの上位で動作するアプリケーションモジュール２Ａの構造を、格段と容易化することができる。
次に、上述のステップＳＰ２６（図１４）においてポータルサーバ４の制御部１０が、ハードディスクドライブ１２の所定記憶場所にお知らせページのソースが存在することを確認した後、図１６のステップＳＰ４０へ進む場合について説明する。
すなわちこのステップＳＰ４０において、ポータルサーバ４の制御部１０は、生成した認証結果情報をクライアント端末２へ送信することにより、当該認証結果情報をクライアント端末２の通信モジュール２Ｂに取得させた後（ステップＳＰ４１）、続くステップＳＰ４２において、お知らせページのソースの記憶場所を示す記憶場所情報を、クライアント端末２へ送信する。
クライアント端末２のアプリケーションモジュール２Ａは、通信モジュール２Ｂを介して、ポータルサーバ４から送信された当該記憶場所情報を受信すると、ステップＳＰ４３へ進み、当該記憶場所情報に基づいて、お知らせページのソースを送信するように要求するためのお知らせページ要求信号を生成し、これを通信モジュール２Ｂを介してポータルサーバ４へ送信する。
また、このとき同時にこのアプリケーションモジュール２Ａは、Ａ社・ＣＤ販売ページをブックマークした際に記憶した、当該Ａ社・ＣＤ販売ページのサービス識別情報及びＵＲＬも、ポータルサーバ４へ送信するようになされている。上述したようにこのサービス識別情報には、当該Ａ社・ＣＤ販売ページが、ＣＤ販売サービスを提供するためのページであることが示されている。
ポータルサーバ４の制御部１０は、クライアント端末２からお知らせページ要求信号と合わせてサービス識別情報及びＡ社・ＣＤ販売ページのＵＲＬを受信すると、ステップＳＰ４４において、当該サービス識別情報によって示されているコンテンツ販売サーバ５のＣＤ販売サービスが、現在利用することができるのか否かをコンテンツ販売サーバ５に対して問い合わせる。
そしてポータルサーバ４の制御部１０は、ステップＳＰ４５へ進んで、当該問い合わせ結果をお知らせページのソースに追記すると共に、受信したＡ社・ＣＤ販売ページのＵＲＬも当該ソースに追記することにより、図１７に示すようなお知らせページを表示させるためのソースを生成する。
続いてポータルサーバ４の制御部１０は、ステップＳＰ４６へ進み、受信したお知らせページ要求信号に応じて、当該追記後のお知らせページのソースを、クライアント端末２へ送信する。
クライアント端末２のアプリケーションモジュール２Ａは、通信モジュール２Ｂを介して、当該追記後のお知らせページのソースを受信すると、ステップＳＰ４７において、お知らせページ（図１７）を表示する。
このお知らせページには、ポータルサーバ４がクライアント端末２からのサービス識別情報に基づいてコンテンツ販売サーバ５に問い合わせた、ＣＤ販売サービスの現在状況を表す現在状況情報ＩＮＦ１も示されている。この現在状況情報ＩＮＦ１においては、コンテンツ販売サーバ５におけるＣＤ販売サービスが現在利用可能である旨や、当該ＣＤ販売サービスが休止中である旨等が示される。
これによりクライアント端末２は、このＣＤ販売サービスを利用するためのＡ社・ＣＤ販売ページを表示する前に、このお知らせページを介して、当該ＣＤ販売サービスの現在状況をユーザに対して通知することができる。
また、このお知らせページにおけるボタンＢＴ３は、Ａ社・ＣＤ販売ページのＵＲＬと対応付けられているので、例えばユーザの操作によって当該ボタンＢＴ３が選択されると、クライアント端末２のアプリケーションモジュール２Ａは、ステップＳＰ４８へ進み、当該ＵＲＬに基づいて、Ａ社・ＣＤ販売ページのソースを要求するための第２要求信号を生成し、これを通信モジュール２Ｂへ引き渡す。
この通信モジュール２Ｂは、ステップＳＰ４９において、引き渡された第２要求信号と合わせて、ステップＳＰ４１で取得した最新の認証結果情報を、コンテンツ販売サーバ５へ送信する。
コンテンツ販売サーバ５の制御部２０は、クライアント端末２から第２要求信号及び最新の認証結果情報を受信すると、ステップＳＰ５０において、この認証結果情報中の認証完了時刻等を参照することにより、クライアント端末２のユーザが正規ユーザとして最近（例えば過去１分以内）認証されたか否かを判定し、例えばこの結果、クライアント端末２のユーザが正規ユーザとして最近認証されていることを認識すると、ステップＳＰ５１へ進み、クライアント端末２からの第２要求信号を受け付けてＡ社・ＣＤ販売ページのソースを、当該クライアント端末２へ送信する。
そしてクライアント端末２のアプリケーションモジュール２Ａは、通信モジュール２Ｂを介して、コンテンツ販売サーバ５から送信されたＡ社・ＣＤ販売ページのソースを受信すると、ステップＳＰ５２において、当該ソースに基づいてＡ社・ＣＤ販売ページ（図５）を表示する。
このようにこのコンテンツ販売システム１においては、ブックマークを利用してＡ社・ＣＤ販売ページを表示させるような操作が行われたとしても、ポータルサーバ４にお知らせページのソースが存在する場合、クライアント端末２の表示部３７には、Ａ社・ＣＤ販売ページよりも優先的にお知らせページが表示される。
かくしてこのコンテンツ販売システム１の運用者は、当該お知らせページを利用することにより、ユーザに対して知らせるべき情報を確実に通知することができる。
（１−６）動作及び効果
以上の構成において、クライアント端末２から、トップページのソースを要求するための第１要求信号やＡ社・ＣＤ販売ページのソースを要求する第２要求信号が送出された場合であっても、ポータルサーバ４がお知らせページのソースを記憶保持していれば、ポータルサーバ４又はコンテンツ販売サーバ５からトップページのソース又はＡ社・ＣＤ販売ページのソースが送出される前に、ポータルサーバ４から当該お知らせページのソースがクライアント端末２へ送出される。
かくしてクライアント端末２の表示部３７に対しては、トップページやＡ社・ＣＤ販売ページよりも優先的にお知らせページが表示されるので、このコンテンツ販売システム１の運用者は、当該お知らせページを利用することにより、ユーザに対して知らせるべき情報を確実に通知することができる。
以上の構成によれば、クライアント端末２は、トップページやＡ社・ＣＤ販売ページよりも優先的にお知らせページを表示することができるので、この結果、メンテナンス情報等をユーザに対して確実に通知することができる。
（２）第２の実施の形態
次に第２の実施の形態として、本システムを適用したコンテンツ販売システムの他の例について説明する。
なお、この第２の実施の形態における図１８のクライアント端末１００２は、上述の第１の実施の形態における図１のクライアント端末２に対応し、図１９のポータルサーバ１００３は図１のポータルサーバ４に対応し、図２０のコンテンツ販売サーバ１００５は図１のコンテンツ販売サーバ５に対応するものである。
（２−１）クライアント端末の機能回路ブロック構成
まずクライアント端末１００２の機能回路ブロックによるハードウェア構成を説明する。図１８に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングとも呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介して所定のネットワークに接続し、当該ネットワーク上のポータルサーバ１００３やコンテンツ販売サーバ１００５等にアクセスすることができ、これによりこれらポータルサーバ１００３やコンテンツ販売サーバ１００５等との間で各種情報や各種データを送受信する。
エンコーダ／デコーダ部１０３４は、ネットワークからネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークからネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークからネットワークインタフェース１０３３及び通信制御部１０３２を順次介して受信されたＸＭＬ（ｅＸｔｅｎ−ｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワーク上のポータルサーバ１００３やコンテンツ販売サーバ１００５等に対し認証情報を通信制御部１０３２及びネットワークインタフェース１０３３を順次介して送信する等の認証処理を実行する。
認証情報記憶部１０３８は、認証処理部１０３７がポータルサーバ１００３やコンテンツ販売サーバ１００５等に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ（図示せず）に送信する。
その結果、ラジオ放送表示制御部１０３９は、ネットワーク上のラジオ放送情報配信サーバから送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報（上述の関連情報に相当）を表示させる。
（２−２）ポータルサーバの構成
次に、図１９を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やコンテンツ販売サーバ１００５等と各種情報を送受信する。
顧客データベース部１０５４には、コンテンツ販売システムの運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、コンテンツ販売システムの運営業者が管理するページ情報等が記憶されている。
なおこのページ情報は、ＸＭＬ等の言語によって記述されており、コンテンツ販売サーバ１００５等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用ページ（例えば上述の第１の実施の形態におけるトップページ）のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、コンテンツ販売サーバ１００５等からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、コンテンツ販売サーバ１００５等から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該コンテンツ販売サーバ１００５等に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（２−３）コンテンツ販売サーバの機能回路ブロック構成
次に、図２０を用いてコンテンツ販売サーバ１００５の機能回路ブロックによるハードウェア構成を説明する。コンテンツ販売サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、コンテンツ販売サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、コンテンツ販売サーバ１００５が管理する、販売対象のＣＤやＤＶＤ等のパッケージメディアを紹介するパッケージメディア販売用ページ（例えば上述の第１の実施の形態におけるＡ社・ＣＤ販売ページ）のページ情報等が記憶されている。
因にパッケージメディア販売用ページのページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用ページのページ情報を要求するための要求信号をネットワークインタフェース１０９３及び通信制御部１０９２を順次介して受信すると、当該受信した要求信号に応じて、ページ情報記憶部１０９６に記憶されたパッケージメディア販売用ページのページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザがコンテンツ販売システムの運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用ページのページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用ページのページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して所定の課金サーバ（図示せず）に送信することにより、この課金サーバに対し当該ユーザに対する特定のパッケージメディアの購入に応じた課金処理を実行させる。
さらに制御部１０９０は、この課金サーバによるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（２−４）トップページを介したＡ社・ＣＤ販売ページの表示
次に、この第２の実施の形態におけるトップページを介したパッケージメディア販売用ページ（ここではＡ社・ＣＤ販売ページ）の表示処理手順について、図２１及び２２に示すシーケンスチャートに沿って説明する。
なお、図２１乃至図２４におけるクライアント端末１００２のアプリケーションモジュール１００２Ａは、図１８の制御部１０２３、入力処理部１０２１、表示制御部１０２４、及びページ情報生成部１０３６に対応するものであり、また通信モジュール１００２Ｂは、図１８の通信制御部１０３２及び認証処理部１０３７に対応するものである。
クライアント端末１００２のアプリケーションモジュール１００２Ａは、トップページを表示部１０２５に表示させるための操作が行われたことを認識すると、ステップＳＰ１０００に進んで、トップページのページ情報（ソース）を要求するための要求信号（以下、これをトップページ要求信号とも呼ぶ）を通信モジュール１００２Ｂに引き渡す。
ステップＳＰ１００１においてクライアント端末１００２の通信モジュール１００２Ｂは、このトップページ要求信号を受け取ると、認証情報記憶部１０３８に予め一時記憶している認証セッションＩＤ情報等を読み出し、この認証セッションＩＤ情報等とトップページ要求信号とをネットワークインタフェース１０３３を介してポータルサーバ１００３に送信する。
因みにこの認証セッションＩＤ情報は、クライアント端末１００２とポータルサーバ１００３とがユーザ認証処理等の各種処理の実行用に通信接続する毎に、個々の通信接続状態（すなわちセッション）の識別用としてポータルサーバ１００３によって発行される識別情報である。
なお、かかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、コンテンツ販売システムの運営業者と契約してはいないユーザによりユーザ認証処理等に対し不当に利用されることを防止している。
またクライアント端末１００２の認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から認証セッションＩＤ情報等とトップページ要求信号とが送信されると、これに応じてステップＳＰ１００２においてポータルサーバ１００３の制御部１０５０は、ネットワークインタフェース１０５３及び通信制御部１０５２を順次介して当該認証セッションＩＤ情報等とトップページ要求信号とを受信し、この認証セッションＩＤ情報等を認証処理部１０５６に送出する。
認証処理部１０５６は、制御部１０５０の制御のもと、この受信した認証セッションＩＤ情報等に基づいてユーザ認証処理を実行する。
その結果、認証処理部１０５６は、クライアント端末１００２から受信した認証セッションＩＤ情報等の有効期限が切れていること等により、クライアント端末１００２を利用するユーザを正規ユーザであると認証することができない場合、クライアント端末１００２からのトップページの要求が正当な要求ではないと判断する。
そしてこの場合、制御部１０５０は、認証エラーを示す認証エラー情報を通信制御部１０５２及びネットワークインタフェース１０５３を順次介してクライアント端末１００２に送信する。
ステップＳＰ１００３において、クライアント端末１００２の通信モジュール１００２Ｂは、ネットワークインタフェース１０３３を介して認証エラー情報を受信すると、認証情報記憶部１０３８に記憶しているユーザＩＤ情報及びパスワード情報等を読み出し、当該読み出したユーザＩＤ情報及びパスワード情報等をネットワークインタフェース１０３３を介してポータルサーバ１００３に送信する。
ステップＳＰ１００４において、ポータルサーバ１００３の制御部１０５０は、ネットワークインタフェース１０５３及び通信制御部１０５２を順次介してユーザＩＤ情報及びパスワード情報等を受信し、これらを認証処理部１０５６に送出する。
認証処理部１０５６は、制御部１０５０の制御のもと、ユーザ認証処理として、この受信したユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、ポータル認証結果情報として、現時点のクライアント端末１００２とポータルサーバ１００３との通信接続状態に対する認証セッションＩＤ情報等を発行する。
またこのとき認証処理部１０５６は、制御部１０５０の制御のもと、クライアント端末１００２に対して発行したこの認証セッションＩＤ情報等を認証情報記憶部１０５７に一時記憶する。
続くステップＳＰ１００５においてポータルサーバ１００３の制御部１０５０は、ページ情報記憶部１０５５にお知らせページのページ情報が存在するか否かを判定する。因にこのお知らせページとは、上述の第１の実施の形態と同様に、例えばポータルサーバ１００３のメンテナンス情報や、コンテンツ販売サーバ１００５におけるＣＤ販売サービスの現在状況等が記載されたページのことである。
このステップＳＰ１００５で肯定結果を得ると、このとき制御部１０５０は、ステップＳＰ１００６に移り、このステップＳＰ１００６において、認証処理部１０５６がクライアント端末１００２に対して発行した認証セッションＩＤ情報等と、お知らせページのページ情報の記憶場所を示す例えばＵＲＬとを通信制御部１０５２及びネットワークインタフェース１０５３を順次介してクライアント端末１００２に送信する。
ステップＳＰ１００７において、クライアント端末１００２の通信モジュール１００２Ｂは、ポータルサーバ１００３から送信された認証セッションＩＤ情報等と、お知らせページのＵＲＬとをネットワークインタフェース１０３３を介して受信し、当該受信した認証セッションＩＤ情報等を認証情報記憶部１０３８に一時記憶すると共に、このお知らせページのＵＲＬをアプリケーションモジュール１００２Ａに引き渡す。因にここでは、お知らせページのＵＲＬがポータルサーバ１００３を示しているものとする。
ステップＳＰ１００８においてクライアント端末１００２のアプリケーションモジュール１００２Ａは、通信モジュール１００２Ｂを介してポータルサーバ１００３から受信したお知らせページのＵＲＬに基づいて、お知らせページのページ情報を要求するための要求信号（以下、これをお知らせページ要求信号とも呼ぶ）を生成し、これを通信モジュール１００２Ｂに引き渡す。
ステップＳＰ１００９においてクライアント端末１００２の通信モジュール１００２Ｂは、このお知らせページ要求信号を受け取ると、認証情報記憶部１０３８に一時記憶している認証セッションＩＤ情報等を読み出し、この認証セッションＩＤ情報等とお知らせページ要求信号とをネットワークインタフェース１０３３を介してポータルサーバ１００３に送信する。
ステップＳＰ１０１０において、ポータルサーバ１００３の制御部１０５０は、クライアント端末１００２から送信された認証セッションＩＤ情報等とお知らせページ要求信号とをネットワークインタフェース１０５３及び通信制御部１０５２を順次介して受信し、この認証セッションＩＤ情報等を認証処理部１０５６に送出する。
認証処理部１０５６は、制御部１０５０の制御のもと、この受信した認証セッションＩＤ情報等と上述のステップＳＰ１００４でクライアント端末１００２に対して発行して認証情報記憶部１０５７に一時記憶していた認証セッションＩＤ情報等とを比較するようにしてユーザ認証処理を実行する。
その結果、ステップＳＰ１０１１において認証処理部１０５６は、クライアント端末１００２を利用するユーザを正規ユーザであると認証すると、当該クライアント端末１００２からのお知らせページの要求が正当な要求であると判断し、クライアント端末１００２に対して発行していた認証セッションＩＤ情報等の有効期限を延長させる。
そしてこのとき、ポータルサーバ１００３の制御部１０５０は、ページ情報記憶部１０５５から、ユーザに要求されたお知らせページのページ情報を読み出し、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１２において、クライアント端末１００２の通信モジュール１００２Ｂは、ポータルサーバ１００３から送信されたお知らせページのページ情報と、有効期限の延長された認証セッションＩＤ情報等とをネットワークインタフェース１０３３を介して受信し、当該受信したページ情報をアプリケーションモジュール１００２Ａに引き渡すと共に、その有効期限の延長された認証セッションＩＤ情報等をその有効期限が延長される前の認証セッションＩＤ情報等に上書きするようにして認証情報記憶部１０３８に一時記憶することにより、上述のステップＳＰ１００７で一時記憶していた認証セッションＩＤ情報等を有効期限の延長された認証セッションＩＤ情報等に更新し、次のステップＳＰ１０１６（図２２）に移る。なお、図２２のステップＳＰ１０１５は、図２１のステップＳＰ１００５において否定結果が得られた場合にのみ実行されるステップである。
ステップＳＰ１０１３において、アプリケーションモジュール１００２Ａは、通信モジュール１００２Ｂから与えられたお知らせページのページ情報に基づき、お知らせページを表示部１０２５に表示する。
ところで、上述のステップＳＰ１００５で否定結果が得られた場合、すなわちページ情報記憶部１０５５にお知らせページのページ情報が存在しない場合、ポータルサーバ１００３の制御部１０５０は、ステップＳＰ１０１４（図２２）に移り、このステップＳＰ１０１４において、上述のステップＳＰ１００４で認証処理部１０５６がクライアント端末１００２に対して発行した認証セッションＩＤ情報等を通信制御部１０５２及びネットワークインタフェース１０５３を順次介してクライアント端末１００２に送信する。
ステップＳＰ１０１５において、クライアント端末１００２の通信モジュール１００２Ｂは、ポータルサーバ１００３から送信された認証セッションＩＤ情報等をネットワークインタフェース１０３３を介して受信し、当該受信した認証セッションＩＤ情報等を認証情報記憶部１０３８に一時記憶し、次のステップＳＰ１０１６に移る。
ステップＳＰ１０１６において通信モジュール１００２Ｂは、認証情報記憶部１０３８に一時記憶している認証セッションＩＤ情報等を読み出し、この認証セッションＩＤ情報等とステップＳＰ１００１で得たトップページ要求信号とをネットワークインタフェース１０３３を介してポータルサーバ１００３に送信する。
クライアント端末１００２から認証セッションＩＤ情報等とトップページ要求信号とが送信されると、これに応じてステップＳＰ１０１７においてポータルサーバ１００３の制御部１０５０は、ネットワークインタフェース１０５３及び通信制御部１０５２を順次介して当該認証セッションＩＤ情報等とトップページ要求信号とを受信し、この認証セッションＩＤ情報等を認証処理部１０５６に送出する。
認証処理部１０５６は、制御部１０５０の制御のもと、この受信した認証セッションＩＤ情報等に基づいてユーザ認証処理を実行する。
その結果、認証処理部１０５６は、クライアント端末１００２を利用するユーザを正規ユーザであると認証すると、当該クライアント端末１００２からのトップページの要求が正当な要求であると判断し、このクライアント端末２に対して発行していた認証セッションＩＤ情報等の有効期限を延長させる。
そしてこのとき、ポータルサーバ１００３の制御部１０５０は、続くステップＳＰ１０１８において、ページ情報記憶部１０５５から、ユーザに要求されたトップページのページ情報を読み出し、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の通信モジュール１００２Ｂは、ポータルサーバ１００３から送信されたトップページのページ情報と、有効期限の延長された認証セッションＩＤ情報等とをネットワークインタフェース１０３３を介して受信し、当該受信したページ情報をアプリケーションモジュール１００２Ａに送出すると共に、その有効期限の延長された認証セッションＩＤ情報等をその有効期限が延長される前の認証セッションＩＤ情報等に上書きするようにして認証情報記憶部１０３８に一時記憶することにより、上述のステップＳＰ１０１２またはＳＰ１０１５で一時記憶していた認証セッションＩＤ情報等を有効期限の延長された認証セッションＩＤ情報等に更新する。
ステップＳＰ１０２０においてアプリケーションモジュール１００２Ａは、通信モジュール１００２Ｂから与えられたトップページのページ情報に基づき、トップページを表示部１０２５に表示する。
そしてアプリケーションモジュール１００２Ａは、このトップページ上に表示されているＡ社・ＣＤ販売ページへのリンクボタン（例えば図３のボタンＢＴ１）が押下されると、このリンクに埋め込まれたＵＲＬに基づいて、Ａ社・ＣＤ販売ページのページ情報を要求するための要求信号（以下、これを販売ページ要求信号と呼ぶ）を通信モジュール１００２Ｂに引き渡し、以下、後述するブックマークからのＡ社・ＣＤ販売ページの表示処理手順におけるステップＳＰ１０５１〜ステップＳＰ１０８１と同様の処理（ただし、ステップＳＰ１０５７〜ステップＳＰ１０６５は除いてもよい）を実行して、Ａ社・ＣＤ販売ページを表示部１０２５に表示する。
（２−５）ブックマークからのＡ社・ＣＤ販売ページの表示
続いてこの第２の実施の形態におけるブックマークからのＡ社・ＣＤ販売ページの表示処理手順について、図２３及び２４に示すシーケンスチャートに沿って説明する。
クライアント端末１００２のアプリケーションモジュール１００２Ａは、例えばブックマークとしてそのＵＲＬが登録されているＡ社・ＣＤ販売ページを表示部１０２５に表示させるための操作が行われたことを認識すると、ステップＳＰ１０５０に進んで、Ａ社・ＣＤ販売ページのページ情報を要求するための販売ページ要求信号を通信モジュール１００２Ｂに引き渡す。
ステップＳＰ１０５１においてクライアント端末１００２の通信モジュール１００２Ｂは、この販売ページ要求信号を受け取ると、認証情報記憶部１０３８に予め一時記憶しているサービスセッションＩＤ情報等を読み出し、このサービスセッションＩＤ情報等と販売ページ要求信号とをネットワークインタフェース１０３３を介してコンテンツ販売サーバ１００５に送信する。
因みにサービスセッションＩＤ情報は、クライアント端末１００２とコンテンツ販売サーバ１００５とがユーザ認証処理等の各種処理の実行用に通信接続する毎に、個々の通信接続状態（すなわち、セッション）の識別用として、クライアント端末１００２がアクセスしたコンテンツ販売サーバ１００５によって発行される識別情報である。
なおかかるサービスセッションＩＤ情報については、上述した認証セッションＩＤ情報と同様に、ユーザ認証処理等に利用するうえでコンテンツ販売サーバ１００５による発行時点を基準とした所定の有効期限（例えば１分程度）が設定されている。
従ってコンテンツ販売サーバ１００５からサービスセッションＩＤ情報を取得したクライアント端末１００２は、そのサービスセッションＩＤ情報を有効期限以内に発行元のコンテンツ販売サーバ１００５に対して提示することができない場合、この発行元のコンテンツ販売サーバ１００５により、当該サービスセッションＩＤ情報で特定される通信接続状態が切断されたと判断される。
これによりコンテンツ販売サーバ１００５は、過去に発行したサービスセッションＩＤ情報が、コンテンツ販売システムの運営業者と契約してはいないユーザによりユーザ認証処理等に対し不当に利用されることを防止している。
また認証情報記憶部１０３８に一時記憶されているサービスセッションＩＤ情報は、クライアント端末１００２とコンテンツ販売サーバ１００５とが以前にユーザ認証処理等の実行用に通信接続したとき、そのアクセス先のコンテンツ販売サーバ１００５によって発行されたものである。
ステップＳＰ１０５２において、コンテンツ販売サーバ１００５の制御部１０９０は、クライアント端末１００２から送信されたサービスセッションＩＤ情報等と販売ページ要求信号とをネットワークインタフェース１０９３及び通信制御部１０９２を順次介して受信し、このサービスセッションＩＤ情報等を認証処理部１０９５に送出する。
認証処理部１０９５は、制御部１０９０の制御のもと、この受信したサービスセッションＩＤ情報等と認証情報記憶部１０９７にすでに一時記憶しているサービスセッションＩＤ情報等とを比較するようにしてユーザ認証処理を実行する。
その結果、認証処理部１０９５は、例えばクライアント端末１００２から受信したサービスセッションＩＤ情報等の有効期限がすでに切れていることにより、当該クライアント端末１００２を利用するユーザを正規ユーザであるとは認証することができない場合、クライアント端末１００２からの販売ページ情報の要求が正当な要求ではないと判断する。
そしてこの場合、制御部１０９０は、認証エラーを示す認証エラー情報と、コンテンツ販売サーバ１００５を識別するためのショップコードとを通信制御部１０９２及びネットワークインタフェース１０９３を順次介してクライアント端末１００２に送信する。
ステップＳＰ１０５３において、クライアント端末１００２の通信モジュール１００２Ｂは、コンテンツ販売サーバ１００５から送信された認証エラー情報及びショップコードをネットワークインタフェース１０３３を介して受信する。
ここで通信モジュール１００２Ｂは、コンテンツ販売サーバ１００５から受信した認証エラー情報によりコンテンツ販売サーバ１００５においてユーザが認証されなかったことを認識すると、コンテンツ販売サーバ１００５にアクセスするための認証チケットの発行を要求する認証チケット発行要求信号を生成し、この認証チケット発行要求信号を、受信したショップコードと、認証情報記憶部１０３８に一時記憶している認証セッションＩＤ情報等と共にネットワークインタフェース１０３３を介してポータルサーバ１００３に送信する。
またこのとき通信モジュール１００２Ｂは、受信したショップコードを認証情報記憶部１０３８に一時記憶する。
ステップＳＰ１０５４において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報の有効期限がすでに切れており、当該クライアント端末１００２を利用するユーザを正規ユーザであるとは認証することができない場合、クライアント端末１００２からの認証チケットの発行要求が正当な要求ではないと判断する。
そしてこの場合、制御部１０５０は、認証エラーを示す認証エラー情報を通信制御部１０５２及びネットワークインタフェース１０５３を順次介してクライアント端末１００２に送信する。
ステップＳＰ１０５５においてクライアント端末１００２の通信モジュール１００２Ｂは、ポータルサーバ１００３からネットワークインタフェース１０３３を介して認証エラー情報を受信すると、認証情報記憶部１０３８に記憶しているユーザＩＤ情報及びパスワード情報等を読み出し、当該読み出したユーザＩＤ情報及びパスワード情報等をネットワークインタフェース１０３３を介してポータルサーバ１００３に送信する。
ステップＳＰ１０５６において、ポータルサーバ１００３の制御部１０５０は、ネットワークインタフェース１０５３及び通信制御部１０５２を順次介してユーザＩＤ情報及びパスワード情報等を受信し、これらを認証処理部１０５６に送出する。
そして認証処理部１０５６は、制御部１０５０の制御のもと、ユーザ認証処理として、これらクライアント端末１００２から受信したユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、ポータル認証結果情報として、現時点のクライアント端末１００２とポータルサーバ１００３との通信接続状態に対する認証セッションＩＤ情報等を発行する。
またこのとき認証処理部１０５６は、制御部１０５０の制御のもと、クライアント端末１００２に対して発行したこの認証セッションＩＤ情報等を認証情報記憶部１０５７に一時記憶する。
続くステップＳＰ１０５７においてポータルサーバ１００３の制御部１０５０は、ページ情報記憶部１０５５にお知らせページのページ情報が存在するか否かを判定する。
このステップＳＰ１０５７で肯定結果を得ると、このとき制御部１０５０は、ステップＳＰ１０５８に移り、このステップＳＰ１０５８において、認証処理部１０５６がクライアント端末１００２に対して発行した認証セッションＩＤ情報等と、お知らせページのページ情報の記憶場所を示す例えばＵＲＬとを通信制御部１０５２及びネットワークインタフェース１０５３を順次介してクライアント端末１００２に送信する。
ステップＳＰ１０５９において、クライアント端末１００２の通信モジュール１００２Ｂは、ポータルサーバ１００３から送信された認証セッションＩＤ情報等と、お知らせページのＵＲＬとをネットワークインタフェース１０３３を介して受信し、当該受信した認証セッションＩＤ情報等を認証情報記憶部１０３８に一時記憶すると共に、このお知らせページのＵＲＬをアプリケーションモジュール１００２Ａに引き渡す。
ステップＳＰ１０６０においてクライアント端末１００２のアプリケーションモジュール１００２Ａは、通信モジュール１００２Ｂを介してポータルサーバ１００３から受信したお知らせページのＵＲＬに基づいて、お知らせページのページ情報を要求するためのお知らせページ要求信号を生成し、これを通信モジュール１００２Ｂに引き渡す。
ステップＳＰ１０６１において通信モジュール１００２Ｂは、このお知らせページ要求信号を受け取ると、認証情報記憶部１０３８に一時記憶している認証セッションＩＤ情報等を読み出し、この認証セッションＩＤ情報等とお知らせページ要求信号とネットワークインタフェース１０３３を介してポータルサーバ１００３に送信する。
ステップＳＰ１０６２において、ポータルサーバ１００３の制御部１０５０は、クライアント端末１００２から送信された認証セッションＩＤ情報等とお知らせページ要求信号とをネットワークインタフェース１０５３及び通信制御部１０５２を順次介して受信し、この認証セッションＩＤ情報等を認証処理部１０５６に送出する。
そして認証処理部１０５６は、制御部１０５０の制御のもと、この受信した認証セッションＩＤ情報等と上述のステップＳＰ１０５６でクライアント端末１００２に対して発行して認証情報記憶部１０５７に一時記憶していた認証セッションＩＤ情報等とを比較するようにしてユーザ認証処理を実行する。
その結果、ステップＳＰ１０６３において認証処理部１０５６は、クライアント端末１００２を利用するユーザを正規ユーザであると認証すると、当該クライアント端末１００２からのお知らせページの要求が正当な要求であると判断し、クライアント端末１００２に対して発行していた認証セッションＩＤ情報等の有効期限を延長させる。
そしてこのとき、ポータルサーバ１００３の制御部１０５０は、ページ情報記憶部１０５５から、ユーザに要求されたお知らせページのページ情報を読み出し、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０６４において、クライアント端末１００２の通信モジュール１００２Ｂは、ポータルサーバ１００３から送信されたお知らせページのページ情報と、有効期限の延長された認証セッションＩＤ情報等とをネットワークインタフェース１０３３を介して受信し、当該受信したページ情報をアプリケーションモジュール１００２Ａに送出すると共に、その有効期限の延長された認証セッションＩＤ情報等をその有効期限が延長される前の認証セッションＩＤ情報等に上書きするようにして認証情報記憶部１０３８に一時記憶することにより、上述のステップＳＰ１０５９で一時記憶していた認証セッションＩＤ情報等を有効期限の延長された認証セッションＩＤ情報等に更新し、次のステップＳＰ１０６８（図２４）に移る。なお、図２４のステップＳＰ１０６７は、図２３のステップＳＰ１０５７において否定結果が得られた場合にのみ実行されるステップである。
ステップＳＰ１０６５において、アプリケーションモジュール１００２Ａは、通信モジュール１００２Ｂから与えられたお知らせページのページ情報に基づき、お知らせページを表示部１０２５に表示する。
ところで、上述のステップＳＰ１０５７で否定結果が得られた場合、すなわちページ情報記憶部１０５５にお知らせページのページ情報が存在しない場合、ポータルサーバ１００３の制御部１０５０は、ステップＳＰ１０６６（図２４）に移り、このステップＳＰ１０６６において、上述のステップＳＰ１０５４で認証処理部１０５６がクライアント端末１００２に対して発行した認証セッションＩＤ情報等を通信制御部１０５２及びネットワークインタフェース１０５３を順次介してクライアント端末１００２に送信する。
ステップＳＰ１０６７において、クライアント端末１００２の通信モジュール１００２Ｂは、ポータルサーバ１００３から送信された認証セッションＩＤ情報等をネットワークインタフェース１０３３を介して受信し、当該受信した認証セッションＩＤ情報等を認証情報記憶部１０３８に一時記憶し、次のステップＳＰ１０６８に移る。
ステップＳＰ１０６８において通信モジュール１００２Ｂは、再びポータルサーバ１００３に対して、認証チケットの発行を要求する認証チケット発行要求信号を生成し、この認証チケット発行要求信号を、認証情報記憶部１０３８に一時記憶しているショップコード及び認証セッションＩＤ情報等と共にネットワークインタフェース１０３３を介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０５１〜ステップＳＰ１０６８の処理を実行する際にショップコードを順次送受信することにより、クライアント端末１００２において認証情報記憶部１０３８に対しショップコードを一時記憶しなくてもステップＳＰ１０６８においてポータルサーバ１００３に対しショップコードを送信することが可能である。
ステップＳＰ１０６９において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
そして認証処理部１０５６は、制御部１０５０の制御のもと、この受信した認証セッションＩＤ情報等と認証情報記憶部１０５７に一時記憶している認証セッションＩＤ情報等とを比較するようにしてユーザ認証処理を実行する。
その結果、認証処理部１０５６は、例えばクライアント端末１００２から受信した認証セッションＩＤ情報の有効期限が未だ切れてはいないために、クライアント端末１００２を利用するユーザを正規ユーザであると認証すると、当該クライアント端末１００２からの認証チケットの発行要求が正当な要求であると判断し、続くステップＳＰ１０７０において、上述のステップＳＰ１０６９でクライアント端末１００２から受信したショップコード及び認証チケット発行要求信号に基づき、ポータル認証結果情報として、当該ショップコードの示すコンテンツ販売サーバ１００５に対しアクセスするための認証チケット等を発行する。
そして認証処理部１０５６は、制御部１０５０の制御のもと、この認証チケット等を認証情報記憶部１０５７に一時記憶すると共に、クライアント端末１００２に対して発行していた認証セッションＩＤ情報等の有効期限を延長する。
そしてポータルサーバ１００３の制御部１０５０は、この認証処理部１０５６が発行した認証チケット等を、有効期限を延長した認証セッションＩＤ情報等と共に通信制御部１０５２及びネットワークインタフェース１０５３を順次介してクライアント端末１００２に送信する。
ステップＳＰ１０７１において、クライアント端末１００２の通信モジュール１００２Ｂは、ポータルサーバ１００３から送信された認証チケット等と、有効期限の延長された認証セッションＩＤ情報等とをネットワークインタフェース１０３３を介して受信し、次のステップＳＰ１０７２に移る。
ステップＳＰ１０７２において通信モジュール１００２Ｂは、この受信した認証チケット等を認証要求信号と共にネットワークインタフェース１０３３を介してコンテンツ販売サーバ１００５に送信する。
またこのとき通信モジュール１００２Ｂは、ポータルサーバ１００３から受信した有効期限の延長されている認証セッションＩＤ情報等をその有効期限が延長される前の認証セッションＩＤ情報等に上書きするようにして認証情報記憶部１０３８に一時記憶することにより、上述のステップＳＰ１０６４またはＳＰ１０６７で一時記憶していた認証セッションＩＤ情報等を有効期限の延長された認証セッションＩＤ情報等に更新する。
ステップＳＰ１０７３においてコンテンツ販売サーバ１００５の制御部１０９０は、クライアント端末１００２から送信された認証要求信号及び認証チケット等をネットワークインタフェース１０９３及び通信制御部１０９２を順次介して受信すると、この受信した認証チケット等を当該認証チケット等の確認を要求するための認証チケット確認要求信号と共に通信制御部１０９２及びネットワークインタフェース１０９３を順次介してポータルサーバ１００３に送信する。
ステップＳＰ１０７４においてポータルサーバ１００３の制御部１０５０は、コンテンツ販売サーバ１００５から送信された認証チケット確認要求信号及び認証チケット等をネットワークインタフェース１０５３及び通信制御部１０５２を順次介して受信し、これらを認証処理部１０５６に送出する。
認証処理部１０５６は、制御部１０５０の制御のもと、この認証チケット確認要求信号に応じて、受信した認証チケット等と認証情報記憶部１０５７に一時記憶している認証チケット等とを比較するようにして、この受信した認証チケットに対する確認処理を実行する。
そして制御部１０５０は、認証処理部１０５６により、この受信した認証チケット等が正規の認証チケット等であると確認されると、当該認証チケット等を正規の認証チケット等であると確認し得たことを示す確認結果情報を通信制御部１０５２及びネットワークインタフェース１０５３を順次介してコンテンツ販売サーバ１００５に送信する。
ステップＳＰ１０７５においてコンテンツ販売サーバ１００５の制御部１０９０は、ポータルサーバ１００３から送信された確認結果情報をネットワークインタフェース１０９３及び通信制御部１０９２を順次介して受信し、これを認証処理部１０９５に送出する。
認証処理部１０９５は、制御部１０９０の制御のもと、この確認結果情報に応じて現時点のクライアント端末１００２とコンテンツ販売サーバ１００５との通信接続状態に対するサービスセッションＩＤ情報等を発行すると共に、当該発行したサービスセッションＩＤ情報等を認証情報記憶部１０９７に一時記憶する。
そしてコンテンツ販売サーバ１００５の制御部１０９０は、この発行したサービスセッションＩＤ情報等を通信制御部１０９２及びネットワークインタフェース１０９３を順次介してクライアント端末１００２に送信する。
ステップＳＰ１０７６において、クライアント端末１００２の通信モジュール１００２Ｂは、コンテンツ販売サーバ１００５から送信されたサービスセッションＩＤ情報等をネットワークインタフェース１０３３を介して受信し、当該受信したサービスセッションＩＤ情報等を認証情報記憶部１０３８に一時記憶し、次のステップＳＰ１０７７に移る。
ステップＳＰ１０７７において通信モジュール１００２Ｂは、再度上述のステップＳＰ１０５１で得た販売ページ要求信号を、ステップＳＰ１０７６で認証情報記憶部１０３８に一時記憶したサービスセッションＩＤ情報等と共にネットワークインタフェース１０３３を介してコンテンツ販売サーバ１００５に送信する。
ステップＳＰ１０７８においてコンテンツ販売サーバ１００５の制御部１０９０は、クライアント端末１００２から送信された販売ページ要求信号及びサービスセッションＩＤ情報等をネットワークインタフェース１０９３及び通信制御部１０９２を順次介して受信し、このサービスセッションＩＤ情報等を認証処理部１０９５に送出する。
認証処理部１０９５は、制御部１０９０の制御のもと、この受信したサービスセッションＩＤ情報等と、上述のステップＳＰ１０７５においてすでにクライアント端末１００２に対して発行して認証情報記憶部１０９７に一時記憶しているサービスセッションＩＤ情報等とを比較するようにしてユーザ認証処理を実行する。
その結果、認証処理部１０９５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からのＡ社・ＣＤ販売ページの要求が正当な要求であると判断し、このクライアント端末１００２に対して発行していたサービスセッションＩＤ情報等の有効期限を延長させる。
そしてこのとき、制御部１０９０は、続くステップＳＰ１０７９において、ページ情報記憶部１０９６から、ユーザに要求されたＡ社・ＣＤ販売ページのページ情報を読み出し、当該読み出したページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０８０においてクライアント端末１００２の通信モジュール１００２Ｂは、コンテンツ販売サーバ１００５から送信されたＡ社・ＣＤ販売ページのページ情報と、有効期限の延長されたサービスセッションＩＤ情報等とをネットワークインタフェース１０３３を介して受信し、当該受信したＡ社・ＣＤ販売ページのページ情報をアプリケーションモジュール１００２Ａに送出すると共に、その有効期限の延長されたサービスセッションＩＤ情報等を、その有効期限が延長される前のサービスセッションＩＤ情報等に上書きするようにして認証情報記憶部１０３８に一時記憶することにより、上述のステップＳＰ１０７６で一時記憶していたサービスセッションＩＤ情報等を有効期限の延長されたサービスセッションＩＤ情報等に更新する。
ステップＳＰ１０８１においてアプリケーションモジュール１００２Ａは、通信モジュール１００２Ｂから与えられたＡ社・ＣＤ販売ページのページ情報に基づき、Ａ社・ＣＤ販売ページを表示部１０２５に表示する。
以上の構成によれば、この第２の実施の形態によるコンテンツ販売システムにおいても、上述の第１の実施の形態と同様の効果を得ることができる。
ところで上述の第１の実施の形態で説明したクライアント端末２のプログラムモジュール（図１０）のうち、ＨＴＴＰメッセージプログラム５０及びコミュニケータプログラム５１は、この第２の実施の形態で説明したクライアント端末１００２の通信制御部１０３２（図１８）と同様の機能を実現可能なプログラムモジュールである。
またコンテンツ再生モジュール５２（図１０）は、エンコーダ／デコーダ部１０３４（図１８）と同様の機能を実現可能なプログラムモジュールである。
さらに著作権保護管理モジュール５３（図１０）は、著作権管理部１０３５（図１８）と同様の機能を実現可能なプログラムモジュールである。
さらにインターネットラジオ選局再生モジュール５４（図１０）は、制御部１０２３及び音声制御部１０２６（図１８）と同様の機能を実現可能なプログラムモジュールである。
さらに楽曲購入再生モジュール５５（図１０）は、制御部１０２３及び音声制御部１０２６（図１８）と同様の機能を実現可能なプログラムモジュールである。
さらにＸＭＬブラウザ５６（図１０）は、入力処理部１０２１及びページ情報生成部１０３６（図１８）と同様の機能を実現可能なプログラムモジュールである。
さらにハードディスクコンテンツコントローラ５７及びデータベースアクセスモジュール５９並びにコンテンツデータアクセスモジュール６０（図１０）は、制御部１０２３（図１８）と同様の機能を実現可能なプログラムモジュールである。
さらにライブラリ５８の認証ライブラリ５８Ａ（図１０）は、認証処理部１０３７及び認証情報記憶部１０３８（図１８）と同様の機能を実現可能なプログラムモジュールである。
さらにライブラリ５８のクリップライブラリ５８Ｂ（図１０）は、制御部１０２３（図１８）と同様の機能を実現可能なプログラムモジュールである。
さらにラジオ放送情報表示モジュール６１（図１０）は、ラジオ放送表示制御部１０３９（図１８）と同様の機能を実現可能なプログラムモジュールである。
さらにチューナ選局再生／録音モジュール６２（図１０）は、制御部１０２３及び音声制御部１０２６並びにチューナ部１０３１（図１８）と同様の機能を実現可能なプログラムモジュールである。
さらにオーディオユーザインタフェース６３（図１０）は、入力処理部１０２１及び制御部１０２３並びに表示制御部１０２４（図１８）と同様の機能を実現可能なプログラムモジュールである。
さらにＣＤ再生モジュール６４（図１０）は、音声制御部１０２６及び外部記録媒体記録再生部１０２８（図１８）と同様の機能を実現可能なプログラムモジュールである。
さらにＨＤＤ再生モジュール６５（図１０）は、制御部１０２３及び音声制御部１０２６（図１８）と同様の機能を実現可能なプログラムモジュールである。
従って上述の第１の実施の形態におけるハードウェア回路ブロック構成のクライアント端末２でも、ＣＰＵ３０が各種プログラムモジュールを使って、この第２の実施の形態における機能回路ブロック構成のクライアント端末１００２と同様の処理を実行することができる。
また、上述の第１実施の形態におけるポータルサーバ４（図６）では、上述の第２の実施の形態におけるポータルサーバ１００３（図１９）の機能に応じて、ＲＯＭ１１やハードディスクドライブ１２に記憶させる各種プログラムを適宜選定することにより、制御部１０が、当該各種プログラムに従ってポータルサーバ１００３の制御部１０５０、通信制御部１０５２、認証処理部１０５６と同様に機能すると共に、ＲＯＭ１１、ＲＡＭ１４及びハードディスクドライブ１２を、当該ポータルサーバ１００３の顧客データベース部１０５４、ページ情報記憶部１０５５、認証情報記憶部１０５７、周波数情報記憶部１０５８及びＵＲＬ記憶部１０５９と同様に用いることができる。
さらに上述の第１の実施の形態におけるコンテンツ販売サーバ５（図７）では、上述の第２の実施の形態におけるコンテンツサーバ１００５（図２０）の機能に応じて、ＲＯＭ２１やハードディスクドライブ２２に記憶させる各種プログラムを適宜選定することにより、制御部２０が、当該コンテンツ販売サーバ１００５の制御部１０９０、通信制御部１０９２、認証処理部１０９５、及び検索部１０９９と同様に機能し、ＲＯＭ２１、ＲＡＭ２４及びハードディスクドライブ２２を、当該コンテンツ販売サーバ１００５の顧客データベース部１０９４、ページ情報記憶部１０９６、パッケージメディア情報記憶部１０９８、及び認証情報記憶部１０９７と同様に用いることができる。
（３）他の実施の形態
なお上述の実施の形態では、端末装置として、音楽再生機能を有するクライアント端末２を適用する場合について述べたが、本発明はこれに限らず、ＸＭＬ等の言語によって記述されたソースに基づいてページを表示することができれば、パーソナルコンピュータ等のこの他種々の情報処理装置を適用するようにしても良い。
また上述の実施の形態では、第１のページデータ（トップページのソース）や第２のページデータ（Ａ社・ＣＤ販売ページのソース）を要求する要求信号を送信する送信手段として、また当該要求信号に応じて通知ページデータ（お知らせページのソース）を受信した後に第１のページデータや第２のページデータを受信する受信手段として、クライアント端末２の通信処理部４４やネットワークインターフェース４５等を適用する場合について述べたが、本発明はこれに限らず、この他種々の構成を適用するようにしても良い。
さらに上述の実施の形態では、所定の通知情報が示されてなる通知ページデータ（お知らせページのソース）と第１のページデータ（トップページのソース）とを有するページデータ提供装置として、ポータルサーバ４を適用する場合について述べたが、本発明はこれに限らず、この他種々の構成でなる情報処理装置を適用するようにしても良い。
さらに上述の第１の実施の形態では、第１のページデータ（トップページのソース）を要求する要求信号を受信する受信手段として、また当該要求信号に応じてこの第１のページデータ（トップページのソース）を送信する前に、通知ページデータ（お知らせページのソース）を送信する送信手段として、ポータルサーバ４のデータ通信処理部１５等を適用する場合について述べたが、本発明はこれに限らず、この他種々の構成を適用するようにしても良い。
さらに上述の第２の実施の形態では、第１のページデータ（トップページのソース）を要求する要求信号を受信する受信手段として、また当該要求信号に応じてこの第１のページデータ（トップページのソース）を送信する前に、通知ページデータ（お知らせページのソース）を送信する送信手段として、ポータルサーバ１００３の通信制御部１０５２を適用する場合について述べたが、本発明はこれに限らず、この他種々の構成を適用するようにしても良い。
さらに上述の実施の形態では、端末装置から、ページデータを要求する要求信号と共に受付必要情報（認証結果情報）を受信したとき、この要求信号に対応するページデータを端末装置に対して送信するページデータ提供装置として、コンテンツ販売サーバ５を適用する場合について述べたが、本発明はこれに限らず、この他種々の構成でなる情報処理装置を適用するようにしても良い。
さらに上述の実施の形態では、図１１及び図１２又は図１４〜図１６、図２１〜図２４に示したページ表示処理を実行するためのプログラム（以下、これをページデータ受信プログラムと呼ぶ）がクライアント端末２に対して予めインストールされている場合について述べたが、本発明はこれに限らず、例えば、所定サーバからネットワークを介して配信されるページデータ受信プログラムをユーザ任意の時点でインストールするようにしても良い。
さらに上述の実施の形態においては、クライアント端末２や１００２が受信可能な放送としてラジオ局から放送されるラジオ放送を適用したが、これに限らず、クライアント端末２や１００２がインターネットラジオ放送や衛星ラジオ放送を受信して、その関連情報（ラジオ放送情報）を取得するようにしたり、或いはテレビジョン放送局から放送されるテレビジョン放送を受信し、そのテレビジョン放送のテレビジョン番組に関する各種放送情報等をネットワーク上のサーバから取得するようにしてもよい。
さらに上述の実施の形態においては、ハードウェア回路ブロック、機能回路ブロック及びプログラムモジュールをクライアント端末２や１００２に実装した場合について述べたが、本発明はこれに限らず、これらを携帯電話機やパーソナルコンピュータ等、クライアント端末２や１００２以外の種々の端末に実装するようにしてもよく、このハードウェア回路ブロック、機能回路ブロック及びプログラムモジュールを実装した端末であれば、上述したクライアント端末２や１００２と同様の処理を実現することができる。
産業上の利用の可能性
本発明は、例えば、サーバから提供されるＸＭＬソースに基づいてクライアント端末の表示部にＷｅｂページを表示する場合に適用することができる。
【図１】
2005015411.tif 000003
【図２】
2005015411.tif 000004
【図３】
2005015411.tif 000005
【図４】
2005015411.tif 000006
【図５】
2005015411.tif 000007
【図６】
2005015411.tif 000008
【図７】
2005015411.tif 000009
【図８】
2005015411.tif 000010
【図９】
2005015411.tif 000011
【図１０】
2005015411.tif 000012
【図１１】
2005015411.tif 000013
【図１２】
2005015411.tif 000014
【図１３】
2005015411.tif 000015
【図１４】
2005015411.tif 000016
【図１５】
2005015411.tif 000017
【図１６】
2005015411.tif 000018
【図１７】
2005015411.tif 000019
【図１８】
2005015411.tif 000020
【図１９】
2005015411.tif 000021
【図２０】
2005015411.tif 000022
【図２１】
2005015411.tif 000023
【図２２】
2005015411.tif 000024
【図２３】
2005015411.tif 000025
【図２４】
2005015411.tif 000026
【国際調査報告】
2005015411.tif 000027
2005015411.tif 000028